(57)【要約】本発明の保持体５０５は、レンズアレイ５０６の側壁面に対向する第１対向部（第１内壁面）と第２対向部（第２内壁面）とを備える。レンズアレイの長手方向におけるレンズアレイの両端側の側壁面は、第１対向部の両端と第２対向部の両端とから露出している。
2018230745.tif 000002
【特許請求の範囲】
【請求項１】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光を前記感光ドラムの表面に集光させる複数のレンズが前記長手方向に並べられたレンズアレイと、
前記発光部と前記レンズアレイとを保持する保持体と、
前記レンズの光軸方向における前記光の出射方向に向けて前記保持体から突出して形成され、前記長手方向と前記光軸方向との双方に垂直な垂直方向における前記レンズアレイの一方側の側壁面である第１側壁面に対向し当該第１側壁面が接着固定される第１対向部と、
前記出射方向に向けて前記保持体から突出して形成され、前記垂直方向における前記レンズアレイの他方側の側壁面である第２側壁面に対向し当該第２側壁面が接着固定される第２対向部と、を備え、
前記長手方向における前記レンズアレイの一端側と他端側のうち少なくとも前記一端側の前記第１側壁面は前記長手方向における前記第１対向部の端部から露出し、かつ、前記長手方向における前記レンズアレイの一端側と他端側のうち少なくとも前記他端側の前記第２側壁面は前記長手方向における前記第２対向部の端部から露出している光プリントヘッド。
【請求項２】
前記レンズアレイの一部は前記第１対向部と前記第２対向部とよりも前記出射方向に突出している請求項１に記載の光プリントヘッド。
【請求項３】
前記長手方向における前記第１側壁面の一端側と前記長手方向における前記第１側壁面の他端側とは、前記長手方向における前記第１対向部の端部から露出し、かつ、前記長手方向における前記第２側壁面の一端側と前記長手方向における前記第２側壁面の他端側とは、前記長手方向における前記第２対向部の端部から露出している請求項２に記載の光プリントヘッド。
【請求項４】
前記長手方向における前記第１対向部の一端から前記長手方向における前記第１対向部の他端までの長さと、前記長手方向における前記第２対向部の一端から前記長手方向における前記第２対向部の他端までの長さと、の双方よりも前記長手方向における前記レンズアレイの一端から前記長手方向における前記レンズアレイの他端までの長さの方が長い請求項３に記載の光プリントヘッド。
【請求項５】
前記レンズアレイを保持する保持機構に前記レンズアレイを前記垂直方向に保持させて、前記レンズアレイの前記保持体に対する位置を調整するために、前記長手方向における前記第１側壁面の両端側は前記長手方向における前記第１対向部の両端から露出し、かつ、前記長手方向における前記第２側壁面の両端側は前記長手方向における前記第２対向部の両端から露出している請求項４に記載の光プリントヘッド。
【請求項６】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光を前記感光ドラムの表面に集光させる複数のレンズが前記長手方向に並べられたレンズアレイと、
前記発光部と前記レンズアレイとを保持する保持体と、
前記レンズの光軸方向における前記光の出射方向に向けて前記保持体から突出して形成され、前記長手方向と前記光軸方向との双方に垂直な垂直方向における前記レンズアレイの一方側の側壁面が接着固定される第１対向部と、
前記出射方向に向けて前記保持体から突出して形成され、前記垂直方向における前記レンズアレイの他方側の側壁面が接着固定される第２対向部と、を備え、
前記垂直方向における前記レンズアレイの側壁面は、前記長手方向における前記第１対向部の両端と前記長手方向における前記第２対向部の両端とのうちいずれかから露出している光プリントヘッド。
【請求項７】
前記レンズアレイの一部は前記第１対向部と前記第２対向部とよりも前記出射方向に突出している請求項６に記載の光プリントヘッド。
【請求項８】
前記長手方向における前記レンズアレイの一端から前記長手方向における前記レンズアレイの他端までの長さは、前記長手方向における前記第１対向部の一端から前記長手方向における前記第１対向部の他端までの長さと、前記長手方向における前記第２対向部の一端から前記長手方向における前記第２対向部の他端までの長さと、のいずれかよりも長い請求項７に記載の光プリントヘッド。
【請求項９】
前記レンズアレイを保持する保持機構に前記レンズアレイを前記垂直方向に保持させて、前記レンズアレイの前記保持体に対する位置を調整するために、前記垂直方向における前記レンズアレイの側壁面は前記長手方向における前記第１対向部の両端と前記長手方向における前記第２対向部の両端とのうちいずれかから露出している請求項８に記載の光プリントヘッド。
【請求項１０】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光を前記感光ドラムの表面に集光させる複数のレンズが前記長手方向に並べられたレンズアレイと、
前記発光部と前記レンズアレイとを保持する保持体と、を有し、
前記保持体は、
前記長手方向と前記レンズの光軸方向との双方に垂直な垂直方向における前記レンズアレイの一方側の側壁面に対向し、当該側壁面が接着固定される第１対向部と、
前記垂直方向における前記レンズアレイの他方側の側壁面に対向し、当該側壁面が接着固定される第２対向部と、を備え、
前記第１対向部と前記第２対向部とのうち少なくとも一方の対向部において、少なくとも一部に前記垂直方向に沿った凹部が形成されており、当該凹部から前記垂直方向における前記レンズアレイの側壁面の一部が露出している光プリントヘッド。
【請求項１１】
前記レンズアレイの一部は前記第１対向部と前記第２対向部とよりも前記出射方向に突出している請求項１０に記載の光プリントヘッド。
【請求項１２】
前記第１対向部には前記垂直方向に沿った複数の凹部が形成されており、当該凹部から前記第１対向部に対向する前記レンズアレイの側壁面が露出し、かつ、前記第２対向部には前記垂直方向に沿った複数の凹部が形成されており、当該凹部から前記第２対向部に対向する前記レンズアレイの側壁面が露出している請求項１１に記載の光プリントヘッド。
【請求項１３】
前記第１対向部に形成された凹部は前記長手方向における前記第１対向部の両端側にそれぞれ形成されており、前記第２対向部に形成された凹部は前記長手方向における前記第２対向部の両端側にそれぞれ形成されている請求項１２に記載の光プリントヘッド。
【請求項１４】
前記レンズアレイを保持する保持機構に前記レンズアレイを前記垂直方向に保持させて、前記レンズアレイの前記保持体に対する位置を調整するために、前記第１対向部に形成された凹部と前記第２対向部に形成された凹部とから前記レンズアレイの側壁面の一部がそれぞれ露出している請求項１３に記載の光プリントヘッド。
【請求項１５】
感光ドラムと、光プリントヘッドと、を有する画像形成装置であって、
前記光プリントヘッドは、
前記感光ドラムを露光するための光を出射する複数の発光素子が前記光プリントヘッドの長手方向に並べられた発光部と、
前記複数の発光素子から出射された光を前記感光ドラムの表面に集光させる複数のレンズが前記長手方向に並べられたレンズアレイと、
前記発光部と前記レンズアレイとを保持する保持体と、
前記レンズの光軸方向における前記光の出射方向に向けて前記保持体から突出して形成され、前記長手方向と前記光軸方向との双方に垂直な垂直方向における前記レンズアレイの一方側の側壁面である第１側壁面に対向し当該第１側壁面が接着固定される第１対向部と、
前記出射方向に向けて前記保持体から突出して形成され、前記垂直方向における前記レンズアレイの他方側の側壁面である第２側壁面に対向し当該第２側壁面が接着固定される第２対向部と、を備え、
前記長手方向における前記レンズアレイの一端側と他端側のうち少なくとも前記一端側の前記第１側壁面は前記長手方向における前記第１対向部の端部から露出し、かつ、前記長手方向における前記レンズアレイの一端側と他端側のうち少なくとも前記他端側の前記第２側壁面は前記長手方向における前記第２対向部の端部から露出している画像形成装置。
【請求項１６】
前記レンズアレイの一部は前記第１対向部と前記第２対向部とよりも前記出射方向に突出している請求項１５に記載の画像形成装置。
【請求項１７】
前記長手方向における前記第１側壁面の一端側と前記長手方向における前記第１側壁面の他端側とは、前記長手方向における前記第１対向部の端部から露出し、かつ、前記長手方向における前記第２側壁面の一端側と前記長手方向における前記第２側壁面の他端側とは、前記長手方向における前記第２対向部の端部から露出している請求項１６に記載の画像形成装置。
【請求項１８】
前記長手方向における前記第１対向部の一端から前記長手方向における前記第１対向部の他端までの長さと、前記長手方向における前記第２対向部の一端から前記長手方向における前記第２対向部の他端までの長さと、の双方よりも前記長手方向における前記レンズアレイの一端から前記長手方向における前記レンズアレイの他端までの長さの方が長い請求項１７に記載の画像形成装置。
【請求項１９】
前記レンズアレイを保持する保持機構に前記レンズアレイを前記垂直方向に保持させて、前記レンズアレイの前記保持体に対する位置を調整するために、前記長手方向における前記第１側壁面の両端側は前記長手方向における前記第１対向部の両端から露出し、かつ、前記長手方向における前記第２側壁面の両端側は前記長手方向における前記第２対向部の両端から露出している請求項１８に記載の画像形成装置。
【請求項２０】
感光ドラムと、光プリントヘッドと、を有する画像形成装置であって、
前記感光ドラムを露光するための光を出射する複数の発光素子が前記光プリントヘッドの長手方向に並べられた発光部と、
前記複数の発光素子から出射された光を前記感光ドラムの表面に集光させる複数のレンズが前記長手方向に並べられたレンズアレイと、
前記発光部と前記レンズアレイとを保持する保持体と、
前記レンズの光軸方向における前記光の出射方向に向けて前記保持体から突出して形成され、前記長手方向と前記光軸方向との双方に垂直な垂直方向における前記レンズアレイの一方側の側壁面が接着固定される第１対向部と、
前記出射方向に向けて前記保持体から突出して形成され、前記垂直方向における前記レンズアレイの他方側の側壁面が接着固定される第２対向部と、を備え、
前記垂直方向における前記レンズアレイの側壁面は、前記長手方向における前記第１対向部の両端と前記長手方向における前記第２対向部の両端とのうちいずれかから露出している画像形成装置。
【請求項２１】
前記レンズアレイの一部は前記第１対向部と前記第２対向部とよりも前記出射方向に突出している請求項２０に記載の画像形成装置。
【請求項２２】
前記長手方向における前記レンズアレイの一端から前記長手方向における前記レンズアレイの他端までの長さは、前記長手方向における前記第１対向部の一端から前記長手方向における前記第１対向部の他端までの長さと、前記長手方向における前記第２対向部の一端から前記長手方向における前記第２対向部の他端までの長さと、のいずれかよりも長い請求項２１に記載の画像形成装置。
【請求項２３】
前記レンズアレイを保持する保持機構に前記レンズアレイを前記垂直方向に保持させて、前記レンズアレイの前記保持体に対する位置を調整するために、前記垂直方向における前記レンズアレイの側壁面は前記長手方向における前記第１対向部の両端と前記長手方向における前記第２対向部の両端とのうちいずれかから露出している請求項２２に記載の画像形成装置。
【請求項２４】
感光ドラムと、光プリントヘッドと、を有する画像形成装置であって、
前記光プリントヘッドは、
前記感光ドラムを露光するための光を出射する複数の発光素子が前記光プリントヘッドの長手方向に並べられた発光部と、
前記複数の発光素子から出射された光を前記感光ドラムの表面に集光させる複数のレンズが前記長手方向に並べられたレンズアレイと、
前記発光部と前記レンズアレイとを保持する保持体と、を有し、
前記保持体は、
前記長手方向と前記レンズの光軸方向との双方に垂直な垂直方向における前記レンズアレイの一方側の側壁面に対向し、当該側壁面が接着固定される第１対向部と、
前記垂直方向における前記レンズアレイの他方側の側壁面に対向し、当該側壁面が接着固定される第２対向部と、を備え、
前記第１対向部と前記第２対向部とのうち少なくとも一方の対向部において、少なくとも一部に前記垂直方向に沿った凹部が形成されており、当該凹部から前記垂直方向における前記レンズアレイの側壁面の一部が露出している画像形成装置。
【請求項２５】
前記レンズアレイの一部は前記第１対向部と前記第２対向部とよりも前記出射方向に突出している請求項２４に記載の画像形成装置。
【請求項２６】
前記第１対向部には前記垂直方向に沿った複数の凹部が形成されており、当該凹部から前記第１対向部に対向する前記レンズアレイの側壁面が露出し、かつ、前記第２対向部には前記垂直方向に沿った複数の凹部が形成されており、当該凹部から前記第２対向部に対向する前記レンズアレイの側壁面が露出している請求項２５に記載の画像形成装置。
【請求項２７】
前記第１対向部に形成された凹部は前記長手方向における前記第１対向部の両端側にそれぞれ形成されており、前記第２対向部に形成された凹部は前記長手方向における前記第２対向部の両端側にそれぞれ形成されている請求項２６に記載の画像形成装置。
【請求項２８】
前記レンズアレイを保持する保持機構に前記レンズアレイを前記垂直方向に保持させて、前記レンズアレイの前記保持体に対する位置を調整するために、前記第１対向部に形成された凹部と前記第２対向部に形成された凹部とから前記レンズアレイの側壁面の一部がそれぞれ露出している請求項２７に記載の画像形成装置。
【請求項２９】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光が入射する入射面と前記入射面から入射した出射する出射面とを有するレンズであって、前記光を前記感光ドラムの表面に集光させる複数の前記レンズが前記長手方向に並べられたレンズアレイと、
前記発光部と前記レンズアレイとを保持する保持体と、
前記レンズの光軸方向における前記光の出射方向に向けて前記保持体から突出して形成され、前記長手方向と前記光軸方向との双方に垂直な垂直方向における前記レンズアレイの一方側の側壁面である第１側壁面に対向し当該第１側壁面が接着固定される第１対向部と、
前記出射方向に向けて前記保持体から突出して形成され、前記垂直方向における前記レンズアレイの他方側の側壁面である第２側壁面に対向し当該第２側壁面が接着固定される第２対向部と、を備え、
前記長手方向における前記第１側壁面の両端側は前記長手方向における前記第１対向部の端部からそれぞれ露出し、かつ、前記長手方向における前記第２側壁面の両端側は前記長手方向における前記第２対向部の端部からそれぞれ露出している光プリントヘッドの製造方法において、
前記長手方向における前記レンズアレイの両端側の側壁面が、前記保持機構によって前記垂直方向に保持される保持工程と、
前記保持機構によって保持された前記レンズアレイが、前記入射面と前記発光部とが対向するように前記第１対向部と前記第２対向部との間に挿入され、前記保持機構によって保持される部分が、前記長手方向における前記第１対向部の端部と前記長手方向における前記第２対向部の端部とから露出した状態となるように前記保持体に対して配置される配置工程と、
前記発光素子を発光させ、前記入射面に入射し前記出射面から出射する光を受光装置にて受光する受光工程と、
前記受光工程における受光結果に基づいて前記保持機構によって保持された状態の前記レンズアレイを前記光軸方向に移動させ、前記入射面と前記発光部との間隔を調整する調整工程と、
前記入射面と前記発光部との間隔が調整された前記レンズアレイを前記第１対向部と前記第２対向部とに接着固定する接着工程と、を備える光プリントヘッドの製造方法。
【請求項３０】
前記保持工程において、前記垂直方向における前記レンズアレイの両側壁面は、前記垂直方向に押圧されながら挟持される請求項３１に記載の光プリントヘッドの製造方法。
【請求項３１】
前記保持機構において、前記垂直方向における前記レンズアレイの両側壁面は、前記垂直方向に吸着されながら保持される請求項３１に記載の光プリントヘッドの製造方法。
【請求項３２】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光が入射する入射面と前記入射面から入射した出射する出射面とを有するレンズであって、前記光を前記感光ドラムの表面に集光させる複数の前記レンズが前記長手方向に並べられたレンズアレイと、
前記発光部と前記レンズアレイとを保持する保持体と、
前記レンズの光軸方向における前記光の出射方向に向けて前記保持体から突出して形成され、前記長手方向と前記光軸方向との双方に垂直な垂直方向における前記レンズアレイの一方側の側壁面である第１側壁面に対向し当該第１側壁面が接着固定される第１対向部と、
前記出射方向に向けて前記保持体から突出して形成され、前記垂直方向における前記レンズアレイの他方側の側壁面である第２側壁面に対向し当該第２側壁面が接着固定される第２対向部と、を備え、
前記長手方向における前記レンズアレイの一端側と他端側のうち少なくとも前記一端側の前記第１側壁面は前記長手方向における前記第１対向部の端部から露出し、かつ、前記長手方向における前記レンズアレイの一端側と他端側のうち少なくとも前記他端側の前記第２側壁面は前記長手方向における前記第２対向部の端部から露出している光プリントヘッドの製造方法において、
前記垂直方向における前記レンズアレイの側壁面が、前記保持機構によって保持される保持工程と、
前記保持機構によって保持された前記レンズアレイが、前記入射面と前記発光部とが対向するように前記第１対向部と前記第２対向部との間に挿入され、前記保持機構によって保持されている部分が、前記長手方向における前記第１対向部の端部と前記長手方向における前記第２対向部の端部とから露出した状態となるように前記保持体に対して配置される配置工程と、
前記発光素子を発光させ、前記入射面に入射し前記出射面から出射する光を受光装置にて受光する受光工程と、
前記受光工程における受光結果に基づいて前記保持機構によって保持された状態の前記レンズアレイを前記光軸方向に移動させ、前記入射面と前記発光部との間隔を調整する調整工程と、
前記入射面と前記発光部との間隔が調整された前記レンズアレイを前記第１対向部と前記第２対向部とに接着固定する接着工程と、を備える光プリントヘッドの製造方法。
【請求項３３】
前記保持機構において、前記垂直方向における前記レンズアレイの側壁面は前記垂直方向に吸着されながら保持される請求項３２に記載の光プリントヘッドの製造方法。
【請求項３４】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光が入射する入射面と前記入射面から入射した出射する出射面とを有するレンズであって、前記光を前記感光ドラムの表面に集光させる複数の前記レンズが前記長手方向に並べられたレンズアレイと、
前記発光部と前記レンズアレイとを保持する保持体と、
前記レンズの光軸方向における前記光の出射方向に向けて前記保持体から突出して形成され、前記長手方向と前記光軸方向との双方に垂直な垂直方向における前記レンズアレイの一方側の側壁面が接着固定される第１対向部と、
前記出射方向に向けて前記保持体から突出して形成され、前記垂直方向における前記レンズアレイの他方側の側壁面が接着固定される第２対向部と、を備え、
前記垂直方向における前記レンズアレイの側壁面は、前記長手方向における前記第１対向部の両端と前記長手方向における前記第２対向部の両端とのうちいずれかから露出している光プリントヘッドの製造方法において、
前記垂直方向における前記レンズアレイの側壁面が、前記保持機構によって保持される保持工程と、
前記保持機構によって保持された前記レンズアレイが、前記入射面と前記発光部とが対向するように前記第１対向部と前記第２対向部との間に挿入され、前記保持機構によって保持されている部分が、前記長手方向における前記第１対向部の両端と前記長手方向における前記第２対向部の両端とのうちいずれかから露出した状態となるように前記保持体に対して配置される配置工程と、
前記発光素子を発光させ、前記入射面に入射し前記出射面から出射する光を受光装置にて受光する受光工程と、
前記受光工程における受光結果に基づいて前記保持機構によって保持された状態の前記レンズアレイを前記光軸方向に移動させ、前記入射面と前記発光部との間隔を調整する調整工程と、
前記入射面と前記発光部との間隔が調整された前記レンズアレイを前記第１対向部と前記第２対向部とに接着固定する接着工程と、を備える光プリントヘッドの製造方法。
【請求項３５】
前記保持機構において、前記垂直方向における前記レンズアレイの側壁面は前記垂直方向に吸着されながら保持される請求項３４に記載の光プリントヘッドの製造方法。
【請求項３６】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光が入射する入射面と前記入射面から入射した出射する出射面とを有するレンズであって、前記光を前記感光ドラムの表面に集光させる複数の前記レンズが前記長手方向に並べられたレンズアレイと、
前記発光部と前記レンズアレイとを保持する保持体と、を有し、
前記保持体は、
前記垂直方向に沿った複数の凹部が形成されていて、前記長手方向と前記レンズの光軸方向との双方に垂直な垂直方向における前記レンズアレイの一方側の側壁面に対向し、当該側壁面が接着固定される第１対向部と、
前記垂直方向に沿った複数の凹部が形成されていて、前記垂直方向における前記レンズアレイの他方側の側壁面に対向し、当該側壁面が接着固定される第２対向部と、を備え、
前記第１対向部に形成された凹部と前記第２対向部に形成された凹部とから前記垂直方向における前記レンズアレイの側壁面の一部が露出している光プリントヘッドの製造方法において、
前記垂直方向における前記レンズアレイの側壁面が、前記保持機構によって保持される保持工程と、
前記保持機構によって保持された前記レンズアレイが、前記入射面と前記発光部とが対向するように前記第１対向部と前記第２対向部との間に挿入され、前記保持機構によって保持されている部分が、前記第１対向部に形成された凹部と前記第２対向部に形成された凹部とから露出した状態となるように前記保持体に対して配置される配置工程と、
前記発光素子を発光させ、前記入射面に入射し前記出射面から出射する光を受光装置にて受光する受光工程と、
前記受光工程における受光結果に基づいて前記保持機構によって保持された状態の前記レンズアレイを前記光軸方向に移動させ、前記入射面と前記発光部との間隔を調整する調整工程と、
前記入射面と前記発光部との間隔が調整された前記レンズアレイを前記保持体に接着固定する接着工程と、を備える光プリントヘッドの製造方法。
【請求項３７】
前記保持工程において、前記垂直方向における前記レンズアレイの両側壁面は、前記垂直方向に押圧されながら挟持される請求項３６に記載の光プリントヘッドの製造方法。
【請求項３８】
前記保持工程において、前記レンズアレイの前記両側壁面は、前記垂直方向に吸着されながら保持される請求項３６に記載の光プリントヘッドの製造方法。
【請求項３９】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光が入射する入射面と前記入射面から入射した出射する出射面とを有するレンズであって、前記光を前記感光ドラムの表面に集光させる複数の前記レンズが前記長手方向に並べられたレンズアレイと、
前記発光部と前記レンズアレイとを保持する保持体と、を有し、
前記保持体は、
前記長手方向と前記レンズの光軸方向との双方に垂直な垂直方向における前記レンズアレイの一方側の側壁面に対向し、当該側壁面が接着固定される第１対向部と、
前記垂直方向における前記レンズアレイの他方側の側壁面に対向し、当該側壁面が接着固定される第２対向部と、を備え、
前記第１対向部と前記第２対向部とのうち少なくとも一方の対向部において、少なくとも一部に前記垂直方向に沿った凹部が形成されており、当該凹部から前記垂直方向における前記レンズアレイの側壁面の一部が露出している光プリントヘッドの製造方法において、
前記垂直方向における前記レンズアレイの側壁面が、前記保持機構によって保持される保持工程と、
前記保持機構によって保持された前記レンズアレイが、前記入射面と前記発光部とが対向するように前記第１対向部と前記第２対向部との間に挿入され、前記保持機構によって保持されている部分が前記凹部から露出した状態となるように前記保持体に対して配置される配置工程と、
前記発光素子を発光させ、前記入射面に入射し前記出射面から出射する光を受光装置にて受光する受光工程と、
前記受光工程における受光結果に基づいて前記保持機構によって保持された状態の前記レンズアレイを前記光軸方向に移動させ、前記入射面と前記発光部との間隔を調整する調整工程と、
前記入射面と前記発光部との間隔が調整された前記レンズアレイを前記保持体に接着固定する接着工程と、を備える光プリントヘッドの製造方法。
【請求項４０】
前記保持機構において、前記垂直方向における前記レンズアレイの両側壁面は、前記垂直方向に吸着されながら保持される請求項３９に記載の光プリントヘッドの製造方法。
【発明の詳細な説明】
【技術分野】
【０００１】
本発明は、光プリントヘッド、光プリントヘッドを備える画像形成装置および光プリントヘッドの製造方法に関する。
【背景技術】
【０００２】
プリンタや複写機等の画像形成装置は、感光ドラムを露光するための複数の発光素子を備える光プリントヘッドを有する。光プリントヘッドとしては、発光素子の例としてＬＥＤ（Ｌｉｇｈｔ  Ｅｍｉｔｔｉｎｇ  Ｄｉｏｄｅ）や有機ＥＬ（Ｅｌｅｃｔｒｏ  Ｌｕｍｉｎｅｓｃｅｎｃｅ）等を用いるものがあり、これらの発光素子が感光ドラムの回転軸線方向に沿って、例えば１列や千鳥状の２列に複数配列されたものが知られている。また、光プリントヘッドは、複数の発光素子から出射される光を感光ドラムに集光させるための複数のレンズを備える。複数のレンズは、複数の発光素子と感光ドラムとの間において、発光素子の配列方向に沿うように感光ドラム表面に対向して配置される。複数の発光素子から出射された光は、レンズを介し感光ドラム表面に集光する。これにより、感光ドラム上に静電潜像が形成される。【０００３】
感光ドラムは消耗品であるため定期的に交換される。ユーザやメンテナンス者などの作業者は、感光ドラムを有する交換ユニットを交換することで、画像形成装置のメンテナンスを行うことができる。交換ユニットは、画像形成装置本体の側面から抜き差しされることで画像形成装置本体に対して着脱可能である。光プリントヘッドが感光ドラムを露光するとき、レンズと感光ドラム表面との間隔は３ｍｍ程度しかない。よって、交換ユニットの交換時には光プリントヘッドを感光ドラムから離れる方向に移動させないと光プリントヘッドと感光ドラムが接触する可能性がある。そこで画像形成装置は、光プリントヘッドを、感光ドラムを露光する際の露光位置と、交換ユニット着脱のために露光位置よりも感光ドラムから離れた離間位置とに往復移動させる構成を取る場合がある。【０００４】
ここで、画像形成装置において光プリントヘッドのような露光手段は帯電器と現像器との間に設けられることがある。装置の小型化を実現するためには、感光ドラムや光プリントヘッド、帯電器、現像器等の相互間の距離を可能な限り近付けることが有効である。しかし、光プリントヘッド周囲では感光ドラムや現像器からトナーが飛散している。そのため、飛散したトナー等が光プリントヘッドの内部に流入すると、発光素子が汚れ、発光素子から出射される光を部分的に遮光する可能性がある。これは、出力画像の画質低下を生む一原因である。したがって、レンズは光プリントヘッド本体に対して隙間なく取り付けられていることが理想である。レンズと光プリントヘッド本体との取り付け方法として、例えば特開２０１２−５１２５０号公報に開示されているような構成がある。【０００５】
特開２０１２−５１２５０号公報の図３が示すように、レンズアレイ５６は、発光ダイオードアレイ６２と対向するように匡体５８によって保持されている。図３に示すようにレンズアレイ５６と匡体５８とは封止剤７０によって接着されている。これにより、周囲を飛散するトナー等がレンズアレイ５６と匡体５８との隙間から内部に入り込むことを防いでいる。フレームにレンズアレイ５６を挿入した状態で接触部７８Ａ及び７８Ｂに沿って封止剤７０を塗布することで、レンズアレイ５６を匡体５８に取り付ける。
【発明の概要】
【発明が解決しようとする課題】
【０００６】
しかしながら、特開２０１２−５１２５０号公報に示された構成には、以下に記載するような課題がある。レンズアレイ５６を保持体（匡体５８）に取り付ける際、感光ドラム表面に集光される光のスポット径が任意の値となるように、レンズアレイ５６の配置位置を発光素子の光出射面と感光ドラム表面との間において調整する必要がある。そのため、レンズアレイ５６を何らかの保持機構によって保持した状態で、保持体への取り付け位置を微調整した後、レンズアレイ５６と保持体とを接着剤等で取り付ける。レンズアレイ５６を保持するにあたり、レンズアレイ５６の長手方向においてレンズアレイ５６を保持したのでは、レンズアレイ５６を折損させる可能性がある。また、レンズアレイ５６をレンズの光軸方向において保持する方法では、レンズアレイ５６を保持体に取り付ける際に、レンズアレイ５６の下面を保持する部分が保持体の上面と干渉する。レンズアレイの両側壁面（感光ドラムの回転軸線方向とレンズの光軸方向とに垂直な方向と公差する面）の一部を何らかの保持機構によって保持する必要があるが、特開２０１２−５１２５０号公報に開示された構成（図１参照）では、レンズアレイの側壁面のうち、保持体から露出している部分の面積が十分にあるとは言い難い。【０００７】
したがって、レンズアレイと保持体とを取り付ける際に、レンズアレイ５６の一部を保持した状態で、その取り付け位置を微調整することは容易でない。
【課題を解決するための手段】
【０００８】
上記課題に対して、本発明の光プリントヘッドは、画像形成装置が有する光プリントヘッドであって、前記画像形成装置が有する感光ドラムを露光するための光を出射する複数の発光素子が前記光プリントヘッドの長手方向に並べられた発光部と、前記複数の発光素子から出射された光を前記感光ドラムの表面に集光させる複数のレンズが前記長手方向に並べられたレンズアレイと、前記発光部と前記レンズアレイとを保持する保持体と、前記レンズの光軸方向における前記光の出射方向に向けて前記保持体から突出して形成され、前記長手方向と前記光軸方向との双方に垂直な垂直方向における前記レンズアレイの一方側の側壁面である第１側壁面に対向し当該第１側壁面が接着固定される第１対向部と、前記出射方向に向けて前記保持体から突出して形成され、前記垂直方向における前記レンズアレイの他方側の側壁面である第２側壁面に対向し当該第２側壁面が接着固定される第２対向部と、を備え、前記長手方向における前記レンズアレイの一端側と他端側のうち少なくとも前記一端側の前記第１側壁面は前記長手方向における前記第１対向部の端部から露出し、かつ、前記長手方向における前記レンズアレイの一端側と他端側のうち少なくとも前記他端側の前記第２側壁面は前記長手方向における前記第２対向部の端部から露出している。【０００９】
また、本発明の光プリントヘッドは、画像形成装置が有する光プリントヘッドであって、前記画像形成装置が有する感光ドラムを露光するための光を出射する複数の発光素子が前記光プリントヘッドの長手方向に並べられた発光部と、前記複数の発光素子から出射された光を前記感光ドラムの表面に集光させる複数のレンズが前記長手方向に並べられたレンズアレイと、前記発光部と前記レンズアレイとを保持する保持体と、前記レンズの光軸方向における前記光の出射方向に向けて前記保持体から突出して形成され、前記長手方向と前記光軸方向との双方に垂直な垂直方向における前記レンズアレイの一方側の側壁面が接着固定される第１対向部と、前記出射方向に向けて前記保持体から突出して形成され、前記垂直方向における前記レンズアレイの他方側の側壁面が接着固定される第２対向部と、を備え、前記垂直方向における前記レンズアレイの側壁面は、前記長手方向における前記第１対向部の両端と前記長手方向における前記第２対向部の両端とのうちいずれかから露出している。【００１０】
また、本発明の光プリントヘッドは、画像形成装置が有する光プリントヘッドであって、前記画像形成装置が有する感光ドラムを露光するための光を出射する複数の発光素子が前記光プリントヘッドの長手方向に並べられた発光部と、前記複数の発光素子から出射された光を前記感光ドラムの表面に集光させる複数のレンズが前記長手方向に並べられたレンズアレイと、前記発光部と前記レンズアレイとを保持する保持体と、を有し、前記保持体は、前記長手方向と前記レンズの光軸方向との双方に垂直な垂直方向における前記レンズアレイの一方側の側壁面に対向し、当該側壁面が接着固定される第１対向部と、前記垂直方向における前記レンズアレイの他方側の側壁面に対向し、当該側壁面が接着固定される第２対向部と、を備え、前記第１対向部と前記第２対向部とのうち少なくとも一方の対向部において、少なくとも一部に前記垂直方向に沿った凹部が形成されており、当該凹部から前記垂直方向における前記レンズアレイの側壁面の一部が露出している。【００１１】
また、本発明の画像形成装置は、感光ドラムと、光プリントヘッドと、を有する画像形成装置であって、前記光プリントヘッドは、前記感光ドラムを露光するための光を出射する複数の発光素子が前記光プリントヘッドの長手方向に並べられた発光部と、前記複数の発光素子から出射された光を前記感光ドラムの表面に集光させる複数のレンズが前記長手方向に並べられたレンズアレイと、前記発光部と前記レンズアレイとを保持する保持体と、前記レンズの光軸方向における前記光の出射方向に向けて前記保持体から突出して形成され、前記長手方向と前記光軸方向との双方に垂直な垂直方向における前記レンズアレイの一方側の側壁面である第１側壁面に対向し当該第１側壁面が接着固定される第１対向部と、前記出射方向に向けて前記保持体から突出して形成され、前記垂直方向における前記レンズアレイの他方側の側壁面である第２側壁面に対向し当該第２側壁面が接着固定される第２対向部と、を備え、前記長手方向における前記レンズアレイの一端側と他端側のうち少なくとも前記一端側の前記第１側壁面は前記長手方向における前記第１対向部の端部から露出し、かつ、前記長手方向における前記レンズアレイの一端側と他端側のうち少なくとも前記他端側の前記第２側壁面は前記長手方向における前記第２対向部の端部から露出している。【００１２】
また、本発明の画像形成装置は、感光ドラムと、光プリントヘッドと、を有する画像形成装置であって、前記感光ドラムを露光するための光を出射する複数の発光素子が前記光プリントヘッドの長手方向に並べられた発光部と、前記複数の発光素子から出射された光を前記感光ドラムの表面に集光させる複数のレンズが前記長手方向に並べられたレンズアレイと、前記発光部と前記レンズアレイとを保持する保持体と、前記レンズの光軸方向における前記光の出射方向に向けて前記保持体から突出して形成され、前記長手方向と前記光軸方向との双方に垂直な垂直方向における前記レンズアレイの一方側の側壁面が接着固定される第１対向部と、前記出射方向に向けて前記保持体から突出して形成され、前記垂直方向における前記レンズアレイの他方側の側壁面が接着固定される第２対向部と、を備え、前記垂直方向における前記レンズアレイの側壁面は、前記長手方向における前記第１対向部の両端と前記長手方向における前記第２対向部の両端とのうちいずれかから露出している。【００１３】
また、本発明の画像形成装置は感光ドラムと、光プリントヘッドと、を有する画像形成装置であって、前記光プリントヘッドは、前記感光ドラムを露光するための光を出射する複数の発光素子が前記光プリントヘッドの長手方向に並べられた発光部と、前記複数の発光素子から出射された光を前記感光ドラムの表面に集光させる複数のレンズが前記長手方向に並べられたレンズアレイと、前記発光部と前記レンズアレイとを保持する保持体と、を有し、前記保持体は、前記長手方向と前記レンズの光軸方向との双方に垂直な垂直方向における前記レンズアレイの一方側の側壁面に対向し、当該側壁面が接着固定される第１対向部と、前記垂直方向における前記レンズアレイの他方側の側壁面に対向し、当該側壁面が接着固定される第２対向部と、を備え、前記第１対向部と前記第２対向部とのうち少なくとも一方の対向部において、少なくとも一部に前記垂直方向に沿った凹部が形成されており、当該凹部から前記垂直方向における前記レンズアレイの側壁面の一部が露出している。【００１４】
また、本発明の光プリントヘッドの製造方法は、画像形成装置が有する光プリントヘッドであって、前記画像形成装置が有する感光ドラムを露光するための光を出射する複数の発光素子が前記光プリントヘッドの長手方向に並べられた発光部と、前記複数の発光素子から出射された光が入射する入射面と前記入射面から入射した出射する出射面とを有するレンズであって、前記光を前記感光ドラムの表面に集光させる複数の前記レンズが前記長手方向に並べられたレンズアレイと、前記発光部と前記レンズアレイとを保持する保持体と、前記レンズの光軸方向における前記光の出射方向に向けて前記保持体から突出して形成され、前記長手方向と前記光軸方向との双方に垂直な垂直方向における前記レンズアレイの一方側の側壁面である第１側壁面に対向し当該第１側壁面が接着固定される第１対向部と、前記出射方向に向けて前記保持体から突出して形成され、前記垂直方向における前記レンズアレイの他方側の側壁面である第２側壁面に対向し当該第２側壁面が接着固定される第２対向部と、を備え、前記長手方向における前記第１側壁面の両端側は前記長手方向における前記第１対向部の端部からそれぞれ露出し、かつ、前記長手方向における前記第２側壁面の両端側は前記長手方向における前記第２対向部の端部からそれぞれ露出している光プリントヘッドの製造方法において、前記長手方向における前記レンズアレイの両端側の側壁面が、前記保持機構によって前記垂直方向に保持される保持工程と、前記保持機構によって保持された前記レンズアレイが、前記入射面と前記発光部とが対向するように前記第１対向部と前記第２対向部との間に挿入され、前記保持機構によって保持される部分が、前記長手方向における前記第１対向部の端部と前記長手方向における前記第２対向部の端部とから露出した状態となるように前記保持体に対して配置される配置工程と、前記発光素子を発光させ、前記入射面に入射し前記出射面から出射する光を受光装置にて受光する受光工程と、前記受光工程における受光結果に基づいて前記保持機構によって保持された状態の前記レンズアレイを前記光軸方向に移動させ、前記入射面と前記発光部との間隔を調整する調整工程と、前記入射面と前記発光部との間隔が調整された前記レンズアレイを前記第１対向部と前記第２対向部とに接着固定する接着工程と、を備える。【００１５】
また、本発明の光プリントヘッドの製造方法は、画像形成装置が有する光プリントヘッドであって、前記画像形成装置が有する感光ドラムを露光するための光を出射する複数の発光素子が前記光プリントヘッドの長手方向に並べられた発光部と、前記複数の発光素子から出射された光が入射する入射面と前記入射面から入射した出射する出射面とを有するレンズであって、前記光を前記感光ドラムの表面に集光させる複数の前記レンズが前記長手方向に並べられたレンズアレイと、前記発光部と前記レンズアレイとを保持する保持体と、前記レンズの光軸方向における前記光の出射方向に向けて前記保持体から突出して形成され、前記長手方向と前記光軸方向との双方に垂直な垂直方向における前記レンズアレイの一方側の側壁面である第１側壁面に対向し当該第１側壁面が接着固定される第１対向部と、前記出射方向に向けて前記保持体から突出して形成され、前記垂直方向における前記レンズアレイの他方側の側壁面である第２側壁面に対向し当該第２側壁面が接着固定される第２対向部と、を備え、前記長手方向における前記レンズアレイの一端側と他端側のうち少なくとも前記一端側の前記第１側壁面は前記長手方向における前記第１対向部の端部から露出し、かつ、前記長手方向における前記レンズアレイの一端側と他端側のうち少なくとも前記他端側の前記第２側壁面は前記長手方向における前記第２対向部の端部から露出している光プリントヘッドの製造方法において、前記垂直方向における前記レンズアレイの側壁面が、前記保持機構によって保持される保持工程と、前記保持機構によって保持された前記レンズアレイが、前記入射面と前記発光部とが対向するように前記第１対向部と前記第２対向部との間に挿入され、前記保持機構によって保持されている部分が、前記長手方向における前記第１対向部の端部と前記長手方向における前記第２対向部の端部とから露出した状態となるように前記保持体に対して配置される配置工程と、前記発光素子を発光させ、前記入射面に入射し前記出射面から出射する光を受光装置にて受光する受光工程と、前記受光工程における受光結果に基づいて前記保持機構によって保持された状態の前記レンズアレイを前記光軸方向に移動させ、前記入射面と前記発光部との間隔を調整する調整工程と、前記入射面と前記発光部との間隔が調整された前記レンズアレイを前記第１対向部と前記第２対向部とに接着固定する接着工程と、を備える。【００１６】
また、本発明の光プリントヘッドの製造方法は、画像形成装置が有する光プリントヘッドであって、前記画像形成装置が有する感光ドラムを露光するための光を出射する複数の発光素子が前記光プリントヘッドの長手方向に並べられた発光部と、前記複数の発光素子から出射された光が入射する入射面と前記入射面から入射した出射する出射面とを有するレンズであって、前記光を前記感光ドラムの表面に集光させる複数の前記レンズが前記長手方向に並べられたレンズアレイと、前記発光部と前記レンズアレイとを保持する保持体と、を有し、前記保持体は、前記垂直方向に沿った複数の凹部が形成されていて、前記長手方向と前記レンズの光軸方向との双方に垂直な垂直方向における前記レンズアレイの一方側の側壁面に対向し、当該側壁面が接着固定される第１対向部と、前記垂直方向に沿った複数の凹部が形成されていて、前記垂直方向における前記レンズアレイの他方側の側壁面に対向し、当該側壁面が接着固定される第２対向部と、を備え、前記第１対向部に形成された凹部と前記第２対向部に形成された凹部とから前記垂直方向における前記レンズアレイの側壁面の一部が露出している光プリントヘッドの製造方法において、前記垂直方向における前記レンズアレイの側壁面が、前記保持機構によって保持される保持工程と、前記保持機構によって保持された前記レンズアレイが、前記入射面と前記発光部とが対向するように前記第１対向部と前記第２対向部との間に挿入され、前記保持機構によって保持されている部分が、前記第１対向部に形成された凹部と前記第２対向部に形成された凹部とから露出した状態となるように前記保持体に対して配置される配置工程と、前記発光素子を発光させ、前記入射面に入射し前記出射面から出射する光を受光装置にて受光する受光工程と、前記受光工程における受光結果に基づいて前記保持機構によって保持された状態の前記レンズアレイを前記光軸方向に移動させ、前記入射面と前記発光部との間隔を調整する調整工程と、前記入射面と前記発光部との間隔が調整された前記レンズアレイを前記保持体に接着固定する接着工程と、を備える。【００１７】
また、本発明の光プリントヘッドの製造方法は、画像形成装置が有する光プリントヘッドであって、前記画像形成装置が有する感光ドラムを露光するための光を出射する複数の発光素子が前記光プリントヘッドの長手方向に並べられた発光部と、前記複数の発光素子から出射された光が入射する入射面と前記入射面から入射した出射する出射面とを有するレンズであって、前記光を前記感光ドラムの表面に集光させる複数の前記レンズが前記長手方向に並べられたレンズアレイと、前記発光部と前記レンズアレイとを保持する保持体と、を有し、前記保持体は、前記長手方向と前記レンズの光軸方向との双方に垂直な垂直方向における前記レンズアレイの一方側の側壁面に対向し、当該側壁面が接着固定される第１対向部と、前記垂直方向における前記レンズアレイの他方側の側壁面に対向し、当該側壁面が接着固定される第２対向部と、を備え、前記第１対向部と前記第２対向部とのうち少なくとも一方の対向部において、少なくとも一部に前記垂直方向に沿った凹部が形成されており、当該凹部から前記垂直方向における前記レンズアレイの側壁面の一部が露出している光プリントヘッドの製造方法において、前記垂直方向における前記レンズアレイの側壁面が、前記保持機構によって保持される保持工程と、前記保持機構によって保持された前記レンズアレイが、前記入射面と前記発光部とが対向するように前記第１対向部と前記第２対向部との間に挿入され、前記保持機構によって保持されている部分が前記凹部から露出した状態となるように前記保持体に対して配置される配置工程と、前記発光素子を発光させ、前記入射面に入射し前記出射面から出射する光を受光装置にて受光する受光工程と、前記受光工程における受光結果に基づいて前記保持機構によって保持された状態の前記レンズアレイを前記光軸方向に移動させ、前記入射面と前記発光部との間隔を調整する調整工程と、前記入射面と前記発光部との間隔が調整された前記レンズアレイを前記保持体に接着固定する接着工程と、を備える。
【発明の効果】
【００１８】
本発明における光プリントヘッド及び画像形成装置によれば、レンズアレイの長手方向両端側であって両側壁面を把持機構によって把持した状態で、レンズアレイを保持体に形成された第１対向部と第２対向部との間に挿入することができる。したがって、レンズアレイを把持機構で把持した状態で、保持体に対するレンズアレイの取り付け位置を調整することができる。
【図面の簡単な説明】
【００１９】
図１は画像形成装置の概略断面図。【００２０】
図２は画像形成装置におけるドラムユニット周囲の斜視図。【００２１】
図３は露光ユニットの概略斜視図。【００２２】
図４は光プリントヘッドの基板、ＬＥＤチップ、およびレンズアレイを説明するための概略図。【００２３】
図５はレンズアレイ及び基板を不図示とした保持体を説明するための概略図。【００２４】
図６はレンズ取付部の形状の特徴を説明するための概略図。【００２５】
図７は保持体への接着剤の塗布方法を説明するための概略図。【００２６】
図８はレンズ取付部の一端側の拡大図。【００２７】
図９は接着剤を保持体上に留めるための凸部を説明する図。【００２８】
図１０は光プリントヘッドの側面図。【００２９】
図１１は光プリントヘッドがドラムユニットに当接した状態と退避した状態を示す図。【００３０】
図１２はドラムユニットの後側に取り付けられるブッシュの斜視図。【００３１】
図１３は第１支持部、および第３支持部の斜視図。【００３２】
図１４は第２支持部、後側板、および第２支持部に取り付けられる露光ユニットの斜視図。【００３３】
図１５は第１支持部を不図示とした移動機構の斜視図。【００３４】
図１６はλ型の第１リンク機構の側面図。【００３５】
図１７は露光ユニットの概略斜視図。【００３６】
図１８は移動機構を説明する図。【００３７】
図１９はＸ型の移動機構を説明する図。【００３８】
図２０はカム機構を用いた移動機構を説明する図。【００３９】
図２１はカバーの斜視図。【００４０】
図２２はカバーが閉じられる際の動作を説明するためのカバーの斜視図。【００４１】
図２３はカバーが閉じられる際の動作を説明するためのカバーの側面図。【００４２】
図２４はカバーが開けられる際の動作を説明するためのカバーの斜視図。【００４３】
図２５はカバーが開けられる際の動作を説明するためのカバーの側面図。【００４４】
図２６は保持体の両端の構造を説明するための斜視図。【００４５】
図２７は保持体の他端の構造を説明するための側面図。
【発明を実施するための形態】
【００４６】
【実施例】
【００４７】
（画像形成装置）【００４８】
まず、画像形成装置１の概略構成を説明する。図１は画像形成装置１の概略断面図である。図１に示す画像形成装置１は読取装置を備えていないカラープリンタ（ＳＦＰ：Ｓｍａｌｌ  Ｆｕｎｃｔｉｏｎ  Ｐｒｉｎｔｅｒ）であるが、実施の形態は読取装置を備える複写機であってもよい。また、実施の形態は、図１に示すような複数の感光ドラム１０３を備えるカラー画像形成装置に限られない。１つの感光ドラム１０３を備えるカラー画像形成装置やモノクロ画像を形成する画像形成装置でも良い。【００４９】
図１に示す画像形成装置１は、イエロー、マゼンタ、シアン、ブラックの各色のトナー像を形成する４基の画像形成部１０２Ｙ、１０２Ｍ、１０２Ｃ、１０２Ｋ（以下、総称して単に「画像形成部１０２」とも称する）を備える。また、画像形成部１０２Ｙ、１０２Ｍ、１０２Ｃ、１０２Ｋは、それぞれ感光ドラム１０３Ｙ、１０３Ｍ、１０３Ｃ、１０３Ｋ（以下、総称して単に「感光ドラム１０３」とも称する）を備える。また、画像形成部１０２Ｙ、１０２Ｍ、１０２Ｃ、１０２Ｋは、感光ドラム１０３Ｙ、１０３Ｍ、１０３Ｃ、１０３Ｋをそれぞれ帯電させる帯電器１０４Ｙ、１０４Ｍ、１０４Ｃ、１０４Ｋ（以下、総称して単に「帯電器１０４」とも称する）を備える。また、画像形成部１０２Ｙ、１０２Ｍ、１０２Ｃ、１０２Ｋは、感光ドラム１０３Ｙ、１０３Ｍ、１０３Ｃ、１０３Ｋを露光する光を出射する露光光源としてのＬＥＤ（Ｌｉｇｈｔ  Ｅｍｉｔｔｉｎｇ  Ｄｉｏｄｅ、以下ＬＥＤと記載）露光ユニット５００Ｙ、５００Ｍ、５００Ｃ、５００Ｋ（以下、総称して単に「露光ユニット５００」とも称する）を備える。さらに、画像形成部１０２Ｙ、１０２Ｍ、１０２Ｃ、１０２Ｋは、感光ドラム１０３上の静電潜像をトナーによって現像し、感光ドラム１０３上に各色のトナー像を現像する現像器１０６Ｙ、１０６Ｍ、１０６Ｃ、１０６Ｋ（以下、総称して単に「現像器１０６」とも称する）を備える。符号に付されたＹ、Ｍ、Ｃ、Ｋはトナーの色を示している。【００５０】
画像形成装置１は、感光ドラム１０３に形成されたトナー像が転写される中間転写ベルト１０７、各画像形成部１０２の感光ドラム１０３に形成されたトナー像を当該中間転写ベルトに順次転写させる一次転写ローラ１０８（Ｙ、Ｍ、Ｃ、Ｋ）を備える。また、画像形成装置１は、中間転写ベルト１０７上のトナー像を給紙部１０１から搬送されてきた記録紙Ｐに転写させる二次転写ローラ１０９、二次転写された画像を記録紙Ｐに定着させる定着器１００を備える。
（ドラムユニット）【００５１】
続いて、本実施例に係る画像形成装置１に着脱可能な交換ユニットの一例であるドラムユニット５１８（Ｙ、Ｍ、Ｃ、Ｋ）および現像ユニット６４１（Ｙ、Ｍ、Ｃ、Ｋ）について説明する。図２（ａ）は、画像形成装置１が備えるドラムユニット５１８及び現像ユニット６４１周囲の概略斜視図である。また、図２（ｂ）は画像形成装置１に対して装置本体の外側から挿入途中の状態のドラムユニット５１８を示す図である。【００５２】
図２（ａ）に示すように、画像形成装置１は、板金で形成される前側板６４２と後側板６４３を備える。前側板６４２は画像形成装置１の正面側に設けられた側壁である。一方、後側板６４３は画像形成装置１の背面側に設けられた側壁である。図２（ａ）に示すように、前側板６４２と後側板６４３は対面して配置され、それらの間には梁としての不図示の板金が橋架されている。前側板６４２、後側板６４３、および不図示の梁はそれぞれ、画像形成装置１の枠体の一部を構成する。【００５３】
画像形成装置１の正面側からドラムユニット５１８、および現像ユニット６４１を挿抜できるように、前側板６４２には開口が形成されている。ドラムユニット５１８、および現像ユニット６４１は、開口を通して画像形成装置１本体の所定の位置（装着位置）に装着される。また、画像形成装置１は、装着位置に装着されたドラムユニット５１８と現像ユニット６４１の正面側を覆うカバー５５８（Ｙ、Ｍ、Ｃ、Ｋ）を備える。カバー５５８は、一端がヒンジによって画像形成装置１本体に固定されており、ヒンジによって画像形成装置１本体に対して回動可能となっている。メンテナンスを行う作業者がカバー５５８を開いて本体内のドラムユニット５１８あるいは現像ユニット６４１を取り出し、新しいドラムユニット５１８あるいは現像ユニット６４１を挿入してカバー５５８を閉じることによってユニットの交換作業が完了する。カバー５５８についての詳しい説明は後述する。【００５４】
図２（ａ）および図２（ｂ）に示すように、以下の説明では前側板６４２側を前側、後側板６４３側を後側と定義する。また、ブラックのトナー像に関する静電潜像が形成される感光ドラム１０３Ｋを基準としたとき、イエローのトナー像に関する静電潜像が形成される感光ドラム１０３Ｙが配置されている側を右側と定義する。また、イエローのトナー像に関する静電潜像が形成される感光ドラム１０３Ｙを基準としたとき、ブラックのトナー像に関する静電潜像が形成される感光ドラム１０３Ｋが配置されている側を左側と定義する。さらに、ここで定義した前後方向及び左右方向に垂直な方向であって鉛直方向上向きを上方向、また、ここで定義した前後方向及び左右方向に垂直な方向であって鉛直方向下向きを下方向と定義する。定義した前方向、後方向、右方向、左方向、上方向、下方向を図２に示す。また、以下の本文で記載する感光ドラム１０３の回転軸線方向における一端側はここで定義する前側を意味し、他端側はここで定義する後側を意味する。前後方向における一端側および他端側に関してもここで定義する前側および後側に対応する。左右方向における一端側はここで定義する右側を意味し、他端側はここで定義する左側を意味する。【００５５】
本実施例の画像形成装置１にはドラムユニット５１８が取り付けられる。ドラムユニット５１８は、交換されるカートリッジである。本実施例のドラムユニット５１８はドラムユニット５１８の筐体に対して回転可能に支持された感光ドラム１０３を備える。ドラムユニット５１８は、感光ドラム１０３、帯電器１０４、及び不図示のクリーニング装置を備えている。感光ドラム１０３が、例えばクリーニング装置によるクリーニングによって摩耗するなどして寿命を迎えた際に、図２（ｂ）に示すようにメンテナンスを行う作業者がドラムユニット５１８を装置本体から取り出して感光ドラム１０３を交換する。ドラムユニット５１８は、帯電器１０４、及びクリーニング装置を備えておらず、感光ドラム１０３を備えていた構成でも良い。【００５６】
本実施例の画像形成装置１にはドラムユニット５１８とは別体の現像ユニット６４１が取り付けられている。現像ユニット６４１は図１に示す現像器１０６を含む。現像器１０６は、現像剤を担持する現像剤担持体であるところの現像スリーブを備える。現像ユニット６４１にはトナーとキャリアを攪拌するためのスクリュを回転させるためのギアが複数設けられている。これらのギアが経年劣化等した際には、メンテナンスを行う作業者が現像ユニット６４１を画像形成装置１の装置本体から取り出して交換する。本実施例の現像ユニット６４１は、現像スリーブを備える現像器１０６とスクリュが設けられたトナー収容部とが一体化されたカートリッジである。なお、ドラムユニット５１８および現像ユニット６４１の実施の形態は、上記ドラムユニット５１８と現像ユニット６４１が一体化されたプロセスカートリッジでも良い。
（画像形成プロセス）【００５７】
次に、画像形成プロセスについて説明する。後述する光プリントヘッド１０５Ｙは帯電器１０４Ｙによって帯電された感光ドラム１０３Ｙの表面を露光する。これにより、感光ドラム１０３Ｙには静電潜像が形成される。次に、現像器１０６Ｙは感光ドラム１０３Ｙに形成された静電潜像をイエローのトナーによって現像する。感光ドラム１０３Ｙの表面に現像されたイエローのトナー像は、一次転写部Ｔｙにおいて一次転写ローラ１０８Ｙによって中間転写ベルト１０７に転写される。マゼンタ、シアン、ブラックのトナー像も同様の画像形成プロセスで中間転写ベルト１０７に転写される。【００５８】
中間転写ベルト１０７上に転写された各色のトナー像は、中間転写ベルト１０７によって二次転写部Ｔ２まで搬送される。二次転写部Ｔ２に配置された二次転写ローラ１０９にはトナー像を記録紙Ｐに転写するための転写バイアスが印加されている。二次転写部Ｔ２まで搬送されたトナー像は、二次転写ローラ１０９の転写バイアスによって、給紙部１０１から搬送されてきた記録紙Ｐに転写される。トナー像が転写された記録紙Ｐは定着器１００に搬送される。定着器１００は、熱と圧力によって記録紙Ｐにトナー像を定着させる。定着器１００によって定着処理がなされた記録紙Ｐは、排紙部１１１に排出される。
（露光ユニット）【００５９】
次に光プリントヘッド１０５を含む露光ユニット５００について説明する。ここで、電子写真方式の画像形成装置に採用される露光方式の一例として、半導体レーザの出射ビームを回転するポリゴンミラーなどで走査しｆ−θレンズ等を介して感光ドラムを露光するレーザビーム走査露光方式がある。本実施例で説明する「光プリントヘッド１０５」は、感光ドラム１０３の回転軸線方向に沿って配列されたＬＥＤ等の発光素子を用いて感光ドラム１０３を露光するＬＥＤ露光方式に用いられるものであって、上記に言うレーザビーム走査露光方式には用いられない。図３（ａ）は、本実施例の画像形成装置１が備える露光ユニット５００の概略斜視図である。図３（ｂ）が図３（ａ）に示す露光ユニット５００を下側から見た図である。図４は、図３に示す露光ユニット５００と、及び露光ユニット５００の上側に配置される感光ドラム１０３と、を感光ドラム１０３の回転軸線方向に垂直な面で切断した概略断面図である。露光ユニット５００は、光プリントヘッド１０５と移動機構６４０を含む。光プリントヘッド１０５は、レンズアレイ５０６、基板５０２（発光部）、およびレンズアレイ５０６を保持する保持体５０５と、当接ピン５１４と、当接ピン５１５と、を備える。移動機構６４０は、リンク部材６５１と、リンク部材６５２と、スライド部５２５と、第１支持部５２７と、第２支持部５２８と、第３支持部５２６と、を含む。ここで、本実施例では、当接ピン５１４および当接ピン５１５は円柱状のピンとしているが、その形状は円柱に限らず角柱や端部ほどその径が細くなる円錐のような形状でも構わない。また、当接ピン５１４若しくは当接ピン５１５の一方は、ピンである必要はなく、それと同様の機能を具備するものとして、例えば保持体５０５の上側と下側とに突き出た突起であっても構わない。【００６０】
まず、保持体５０５について説明する。保持体５０５は、基板５０２、レンズアレイ５０６、当接ピン５１４、および当接ピン５１５を保持するホルダーである。本実施形態では一例として、保持体５０５の上面から突き出す当接ピン５１４の長さは７ｍｍ、保持体５０５の上面から突き出す当接ピン５１５の長さは１１ｍｍ、保持体５０５の下面から突き出す当接ピン５１４の長さは２２ｍｍ、保持体５０５の下面から突き出す当接ピン５１５の長さは２２ｍｍとしている。図４に示すように、保持体５０５は、レンズアレイ５０６が取り付けられるレンズ取付部７０１と、基板５０２が取り付けられる基板取付部７０２と、を備える。また、詳細は後で説明するが、保持体５０５は、バネ取付部６６１（６６２）、ピン取付部６３２（６３３）を備える。保持体５０５は、レンズ取付部７０１と基板取付部７０２とバネ取付部６６１とバネ取付部６６２とが一体的に射出成形された樹脂製の成形物である。なお、保持体の材質は樹脂製に限らず、例えば金属製でも構わない。【００６１】
図３（ｂ）に示すように、リンク部材６５１が取り付けられるバネ取付部６６１は、レンズアレイ５０６の前側の端部と基板５０２の前側の端部との双方よりも前側、かつ、ピン取付部６３２よりも後側に設けられている。また、リンク部材６５２が取り付けられるバネ取付部６６２は、レンズアレイ５０６の後側の端部と基板５０２の後側の端部との双方よりも後側、かつ、ピン取付部６３３よりも前側に設けられている。すなわち保持体５０５は、前後方向におけるレンズアレイ５０６と当接ピン５１４との間でリンク部材６５１によって支持され、前後方向におけるレンズアレイ５０６と当接ピン５１５との間でリンク部材６５２によって支持される。リンク部材６５１とリンク部材６５２によって保持体５０５に対して付勢力が付与される部分が、レンズアレイ５０６と上下方向で重ならないため、当該付勢力によるレンズアレイ５０６の撓みが低減される。【００６２】
図４は、図３に示す露光ユニット５００と、及び露光ユニット５００の上側に配置される感光ドラム１０３と、を感光ドラム１０３の回転軸線方向に垂直な面で切断した概略断面図である。【００６３】
レンズ取付部７０１は、保持体５０５から上側に向けて突出して形成されている。言い換えれば、レンズの光軸方向において発光素子から出射される光の出射方向に向けて、保持体５０５から突出して形成されている。レンズ取付部７０１は、第１内壁面５０７（第１対向部）と、第２内壁面５０８（第２対向部）とを備える。第１内壁面５０７は保持体５０５の長手方向に延びており、また、第２内壁面５０８は保持体５０５の長手方向に延びている。第１内壁面５０７は保持体５０５の垂直方向（レンズアレイ５０６の長手方向とレンズの光軸方向との双方に垂直な方向）の一方側に設けられ、第２内壁面５０８は保持体５０５の垂直方向（レンズアレイ５０６の長手方向とレンズの光軸方向との双方に垂直な方向）の他方側に設けられた面である。すなわち、レンズ取付部７０１からレンズアレイ５０６が取り外されているとき、第１内壁面５０７と第２内壁面５０８とは左右方向において対向している。光プリントヘッド１０５の組み立て時に第１内壁面５０７と第２内壁面５０８との間にレンズアレイ５０６が挿入される。そして、第１内壁面５０７と、当該第１内壁面５０７に対向するレンズアレイ５０６の側壁面（第１側壁面）との間に接着剤が塗布され、かつ、第２内壁面５０８と、当該第２内壁面５０８に対向するレンズアレイ５０６の側壁面（第２側壁面）との間に接着剤が塗布される。これにより、レンズアレイ５０６は保持体５０５に固定される。露光ユニット５００は感光ドラム１０３の回転軸線よりも鉛直方向下側に設けられており、光プリントヘッド１０５が有するＬＥＤ５０３が感光ドラム１０３を下方から露光する。なお、当該露光ユニット５００は感光ドラム１０３の回転軸線よりも鉛直方向上側に設けられ、光プリントヘッド１０５が有するＬＥＤ５０３が感光ドラム１０３を上方から露光する構成でも構わない。また、ここで言う接着剤は、トナーや埃などの粉体が保持体５０５の内部に入り込むことを防ぐ封止剤の機能を持つものであっても構わない。すなわち、ここでの接着剤は、レンズアレイ５０６と保持体５０５との隙間を封止することを主な目的とし、その補助的な役割としてレンズアレイ５０６と保持体５０５とを接着するものでも構わない。【００６４】
次に、保持体５０５に保持される基板５０２について説明する。図４（ａ）は基板５０２の概略斜視図である。図４（ｂ１）は基板５０２に設けられた複数のＬＥＤ５０３の配列を示し、図４（ｂ２）は図４（ｂ１）の拡大図を示している。【００６５】
基板５０２にはＬＥＤチップ６３９が実装されている。図４（ａ）に示すように、基板５０２の一方の面にはＬＥＤチップ６３９が設けられ、裏面側にコネクタ５０４が設けられている。基板５０２には各ＬＥＤチップ６３９に信号を供給するための配線が設けられている。コネクタ５０４には、不図示のフレクシブルフラットケーブル（ＦＦＣ）の一端が接続される。画像形成装置１本体には基板が設けられている。基板５０２は制御部とコネクタとを備える。ＦＦＣの他端は、当該コネクタに接続されている。基板５０２には、画像形成装置１本体の制御部からＦＦＣおよびコネクタ５０４を介して制御信号が入力される。ＬＥＤチップ６３９は、基板５０２に入力された制御信号によって駆動される。【００６６】
基板５０２に実装されたＬＥＤチップ６３９についてさらに詳しく説明する。図４（ｂ１）および（ｂ２）に示すように、基板５０２の一方の面には複数のＬＥＤ５０３が配置された複数のＬＥＤチップ６３９−１〜６３９−２９（２９個）が配列されている。各ＬＥＤチップ６３９−１〜６３９−２９はそれぞれ、その長手方向に５１６個のＬＥＤ（発光素子）が一列に配列されている。ＬＥＤチップ６３９の長手方向において隣り合うＬＥＤの中心間距離ｋ２は画像形成装置１の解像度に対応している。本実施例の画像形成装置１の解像度は１２００ｄｐｉであるので、ＬＥＤチップ６３９−１〜６３９−２９ＬＥＤチップ６３９の長手方向において、ＬＥＤは隣接するＬＥＤの中心間距離が２１．１６μｍとなるように一列に配列されている。そのため、本実施例の光プリントヘッド１０５の露光範囲は約３１６ｍｍとなる。感光ドラム１０３の感光層は３１６ｍｍ以上の幅で形成されている。Ａ４サイズの記録紙の長辺の長さおよびＡ３サイズの記録紙の短辺の長さは２９７ｍｍであるため、本実施例の光プリントヘッド１０５は、Ａ４サイズの記録紙およびＡ３サイズの記録紙に画像形成可能な露光範囲を有している。【００６７】
ＬＥＤチップ６３９−１から６３９−２９は、感光ドラム１０３の回転軸線方向に沿って二列となるよう交互に配置されている。すなわち、図４（ｂ１）に示すように、左側から数えて奇数番目のＬＥＤチップ６３９−１、６３９−３、・・・６３９−２９が基板５０２の長手方向に一列に実装され、偶数番目のＬＥＤチップ６３９−２、６３９−４、・・・６３９−２８が基板５０２の長手方向に一列に実装されている。ＬＥＤチップ６３９をこのように配置することで、図４（ｂ２）に示すように、ＬＥＤチップ６３９の長手方向において、隣り合う異なるＬＥＤチップ６３９における一方のＬＥＤチップ６３９の一端と他方のＬＥＤチップ６３９の他端とに配置されたＬＥＤの中心間距離ｋ１を一つのＬＥＤチップ６３９上における隣り合うＬＥＤの中心間距離ｋ２と等しくすることができる。【００６８】
なお、本実施例では露光光源にＬＥＤを用いる構成を例示するが、露光光源として有機ＥＬ（Ｏｒｇａｎｉｃ  Ｅｌｅｃｔｒｏ  Ｌｕｍｉｎｅｓｃｅｎｃｅ）を用いても良い。【００６９】
次に、レンズアレイ５０６について説明する。図４（ｃ１）はレンズアレイ５０６を感光ドラム１０３側から見た時の概略図である。また、図４（ｃ２）はレンズアレイ５０６の概略斜視図である。図４（ｃ１）に示すように、これら複数のレンズは複数のＬＥＤ５０３の配列方向に沿って二列に並べられている。各レンズは、一方の列のレンズの配列方向において隣り合うレンズの両方に接するように他方の列のレンズの一つが配置されるよう交互に配置されている。各レンズは、円柱状の硝子製のロッドレンズであって、ＬＥＤ５０３から出射された光が入射する入射面と、入射面から入射した光が出射する出射面とを有する。なお、レンズの材質は硝子製に限らず、プラスチック製でも構わない。レンズの形状についても円柱状に限らず、例えば六角柱等の多角柱でも構わない。【００７０】
図４（ｃ２）に示す点線Ｚはレンズの光軸を示す。光プリントヘッド１０５は前述の移動機構６４０によって当該点線Ｚで示すレンズの光軸に概ね沿った方向に移動させられる。ここで言うレンズの光軸とは、レンズの光出射面の中心と当該レンズの焦点とを結ぶ線を意味する。図４に示すように、ＬＥＤから出射された光は、レンズアレイ５０６が備えるレンズに入射する。レンズに入射した光は、感光ドラム１０３の表面上に集光される。レンズアレイ５０６は、ＬＥＤの発光面とレンズの光入射面との距離と、レンズの光出射面と感光ドラム１０３の表面との距離と、が略等しくなるように光プリントヘッド１０５の組み立て時のレンズ取付部７０１に対する取付位置が調整される。【００７１】
次に、図５から図８を用いて、基板５０２とレンズアレイ５０６と保持体５０５との取り付け方法について詳しく説明する。【００７２】
まず、レンズアレイ５０６と保持体５０５との取り付け方法について説明する。【００７３】
図５（ａ）は、保持体５０５の前側を下側から見た図である。基板５０２およびレンズアレイ５０６は不図示としている。図５（ａ）に示すように、保持体５０５には、保持体５０５の長手方向に亘って延びる貫通孔９０６が形成されている。言い換えれば、保持体５０５には、レンズアレイ５０６が嵌る貫通孔９０６が設けられている。詳細は後述するが、貫通孔９０６にレンズアレイ５０６が挿入された状態で、保持体５０５に対するレンズアレイ５０６の取り付け位置が調整される。その後、接着剤９０７がレンズアレイ５０６と保持体５０５との境界部分に塗付され、レンズアレイ５０６と保持体５０５とが接着固定される。この際、境界部分の全領域に接着剤を塗付する必要はなく、離散的に数箇所を接着することでレンズアレイ５０６と保持体５０５とを固定しても構わない。【００７４】
図５（ｂ１）はレンズアレイ５０６を不図示とした保持体５０５の前側の概略斜視図、図５（ｂ２）はレンズアレイ５０６を不図示とした保持体５０５を感光ドラム１０３の回転軸線に垂直な面で切断した断面図を前側から見た図である。また、図５（ｃ１）はレンズアレイ５０６が接着固定された保持体５０５の前側の概略斜視図、図５（ｃ２）はレンズアレイ５０６が接着固定された保持体５０５を感光ドラム１０３の回転軸線に垂直な面で切断した断面図を前側から見た図である。図５（ｂ１）および（ｂ２）に示すように、保持体５０５の上側にはレンズアレイ５０６が取り付けられるレンズ取付部７０１が形成されている。レンズ取付部７０１は、レンズアレイ５０６が挿入される間隙を形成するために、貫通孔９０６を介して左右方向で対向する位置であって、貫通孔９０６のへりに沿って前後方向に亘り形成されている。また、図５（ｂ１）および（ｂ２）に示すように、レンズ取付部７０１は、第１内壁面５０７と、第２内壁面５０８と、第１傾斜面７０３と、第２傾斜面７０４と、を備える。第１内壁面５０７と第２内壁面５０８とは左右方向において対向する位置に配置されている。第１内壁面５０７および第２内壁面５０８の上側には、上側に向かうに従い左右方向外側に傾斜した第１傾斜面７０３および第２傾斜面７０４が形成されている。図５（ｃ１）および（ｃ２）に示す通り、レンズアレイ５０６は右側（一方側）の側壁面（第１側壁面）が第１内壁面５０７と対向する位置に、左側（他方側）の側壁面（第２側壁面）が第２内壁面５０８に対向する位置に配置されるように、貫通孔９０６に上側から挿入される。すなわち、レンズアレイ５０６の左右方向（短手方向）の両側壁面はそれぞれ第１内壁面５０７および第２内壁面５０８に対向する。貫通孔９０６に挿入されたレンズアレイ５０６は、その一部がレンズ取付部７０１から上側に突出した状態で接着固定される。レンズアレイ５０６と保持体５０５のレンズ取付部７０１との接着は、レンズアレイ５０６が貫通孔９０６に挿入された状態において、第１傾斜面７０３および第２傾斜面７０４に接着剤９０７が塗付されることにより行われる。このように、接着剤９０７が塗付される面が下側に向かうに従ってレンズアレイ５０６の側壁面に近付くように傾斜していることで、塗付された接着剤９０７が自重により第１傾斜面７０３（第２傾斜面７０４）をつたってレンズアレイ５０６に向けて流れていく。よって、レンズアレイ５０６と保持体５０５のレンズ取付部７０１とが容易に接着される。【００７５】
ここで、本実施例では、第１内壁面５０７（第２内壁面５０８）と第１傾斜面７０３（第２傾斜面７０４）とは連続した面として説明しているが、図５（ｄ）に示すように、第１内壁面５０７（第２内壁面５０８）と第１傾斜面７０３（第２傾斜面７０４）との間に他の面が設けられていても構わない。【００７６】
図５（ｄ）は、保持体５０５が備えるレンズ取付部７０１に、第１傾斜面７０３と第１内壁面５０７との間に第１底面部７１５が、第２傾斜面７０４と第２内壁面５０８との間に第２底面部７１６が形成された構造を説明するための図である。第１底面部７１５はレンズの光軸方向に略垂直な面であって、第１内壁面５０７の上端から第１傾斜面７０３の下端にかけて形成されている。また、第２底面部７１６もレンズの光軸方向に垂直な面であって、第２内壁面５０８の上端から第２傾斜面７０４の下端にかけて形成されている。レンズアレイ５０６が貫通孔９０６に挿入された状態において、第１底面部７１５および第２底面部７１６に接着剤９０７が塗付されることで、レンズアレイ５０６と保持体５０５のレンズ取付部７０１とが接着固定される。このように、第１底面部７１５および第２底面部７１６を設けることで、これらを設けない場合と比べて、接着剤９０７を流し込むスペースが広くなるため、容易に接着剤９０７を流し込むことが出来る。【００７７】
次に、基板５０２と保持体５０５との取り付け方法について図５（ａ）および（ｂ２）を用いて説明する。図５（ａ）に示すように、保持体５０５の下側には、基板５０２を挿入するための開口９０８が形成されている。開口９０８の内部には、基板５０２が保持体５０５の下側から開口９０８に挿入されていくと、基板５０２の一部が当接する基板当接部９１１が形成されている。図５（ｂ２）に示すように、基板当接部９１１は、保持体５０５の左側と右側とのそれぞれに形成された基板取付部７０２に形成されている。これら二箇所の基板当接部９１１間の幅は、基板５０２の左右方向の幅よりも狭い。よって、基板５０２が、保持体５０５の下側から開口９０８に挿入されると、基板５０２の左右方向両側の端部が基板当接部９１１に当接し、保持体５０５に対する基板５０２の取り付け位置が決まる。【００７８】
取り付け位置が決まった基板５０２は基板当接部９１１に当接した状態で、接着剤９０７が基板５０２と基板取付部７０２との境界部分に塗付される。これにより、基板５０２と基板取付部７０２とが接着固定される。【００７９】
次に、図６（ａ）〜（ｃ）を用いて、レンズアレイ５０６が保持体５０５のレンズ取付部７０１に取り付けられる際における、レンズアレイ５０６のレンズ取付部７０１に対する取り付け位置の調整方法について説明する。【００８０】
図６（ａ）〜（ｃ）は、レンズアレイ５０６が貫通孔９０６に挿入された状態の保持体５０５を右側から見た模式図である。【００８１】
図６（ａ）は、本実施例における保持体５０５の模式図である。図５（ａ）より、レンズ取付部７０１の前側の端部から後側の端部までの距離は、レンズアレイ５０６の前側の端部から後側の端部までの距離よりも短い。そのため、保持体５０５の貫通孔９０６に挿入されたレンズアレイ５０６は、前側及び後側がレンズ取付部７０１から露出する（露出部９１２）。また、図６（ａ）に示すように、レンズ取り付け部７０１の前側と後側は、端部に近付くに従い、下側に向けて傾斜した傾斜構造になっている。当該傾斜構造については、後で詳しく説明する。【００８２】
露出部９１２を設ける理由は、保持体５０５に対するレンズアレイ５０６の位置調整を行うためにレンズアレイ５０６を動かす際、レンズアレイ５０６を確実に保持する領域を確保するためである。基板５０２に設けられたＬＥＤ５０３の光出射点からレンズアレイ５０６が備えるＬＥＤ５０３の光が入射する入射面までの距離は、レンズの製作完成時に決まり、その値は製作誤差等を考慮すると全てのレンズで同じ値であるとは言い難い。したがって、光プリントヘッド１０５の組み立て時に、ＬＥＤ５０３の光出射点からレンズアレイ５０６のＬＥＤ５０３の光が入射する入射面までの距離が適切な距離となるように、レンズアレイ５０６の取り付け位置を調整する必要がある。そこで、例えば組立装置等の保持機構にレンズアレイ５０６の露出部９１２を保持させた状態でレンズアレイ５０６を貫通孔９０６に挿入し、保持体５０５に対するレンズアレイ５０６の取り付け位置を調整する。保持機構の例としては、レンズアレイ５０６の両側壁面を左右方向から押圧することによって挟持するような構成や吸着することで保持する構成がある。吸着によって保持する場合は、レンズアレイ５０６の両側壁面のうち一方の側壁面のみを吸着し保持しても構わない。すなわち、必ずしもレンズアレイ５０６の両側壁面が露出している必要はない。例えば、レンズアレイ５０６の一方側の側壁面は第１内壁面５０７から露出しているが、レンズアレイ５０６の他方側の側壁面は第２内壁面５０８から露出していないような構成でも構わない。また、レンズアレイ５０６の一方側の側壁面が、第１内壁面５０７の前側の端部と後側の端部とのうち前側の端部からのみ露出し、レンズアレイ５０６の他方側の側壁面が、第２内壁面５０８の前側の端部と後側の端部とのうち後側の端部からのみ露出した構成でも構わない。【００８３】
以下、光プリントヘッド１０５の製造方法について具体的に説明する。まずレンズアレイ５０６の露出部９１２が保持機構によって、左右方向から挟持される（保持工程）。挟持されたレンズアレイ５０６は保持体５０５の貫通孔９０６に上側から挿入される（配置工程）。この時、露出部９１２はレンズ取付部７０１の前後両端から露出するため、保持機構と保持体５０５とが接触することはない。次に、レンズアレイ５０６が貫通孔９０６に挿入された状態で、基板当接部９１１に当接する位置に配置された基板５０２が備えるＬＥＤ５０３が発光する。レンズアレイ５０６から出射された光を受光装置等によって受光し（受光工程）、その受光結果に基づいてレンズアレイ５０６を上下方向に移動させながらレンズアレイ５０６と基板５０２との間隔を調整、すなわち、保持体５０５への取り付け位置を調整する（調整工程）。調整終了後、接着剤９０７によってレンズアレイ５０６と保持体５０５とが接着固定される。【００８４】
なお、露出部９１２は図６（ａ）に示す部分に限らず、図６（ｂ）に点線で示す部分でも構わない。【００８５】
図６（ｂ）は、レンズ取付部７０１の前後両端側が階段状になっており、端部に近いほどレンズ取付部７０１の上面が感光ドラム１０３から離れている。これにより、レンズ取付部７０１の前後両端側においてレンズアレイ５０６の一部が露出する（露出部９２２）。当該露出部９２２が、保持機構によって左右方向から把持され、レンズアレイ５０６の保持体への取り付け位置が微調整される。その後、接着剤９０７によってレンズアレイ５０６と保持体５０５とが接着固定される。【００８６】
また、図６（ｃ）は、レンズ取付部７０１の上側の面において左右方向沿って凹部が形成された構成である。これにより、図６（ｃ）に示すように、レンズアレイ５０６の左右両側の側壁面が当該凹部から露出する（露出部９３２）。露出部９３２が、保持機構によって左右方向から保持され、保持体５０５に対するレンズアレイ５０６の取り付け位置が微調整される。その後、接着剤９０７によってレンズアレイ５０６と保持体５０５とが接着固定される。ここで、凹部は、必ずしも第１内壁面５０７と第２内壁面５０８との双方に形成されている必要はない。例えば、第１内壁面５０７にのみ、複数の凹部が形成されていても良い。当該凹部から露出するレンズアレイ５０６の側壁面を保持機構によって吸着することで保持する。【００８７】
次に、図７を用いてレンズアレイ５０６をレンズ取付部７０１に取り付けるときの、接着剤９０７の塗付方法について説明する。【００８８】
図７は、レンズアレイ５０６が保持体５０５の貫通孔９０６に挿入された状態の一例である。図７に示すように、レンズアレイ５０６をレンズ取付部７０１に接着固定する際、接着剤９０７を吐出するディスペンサー６４５の先端がレンズアレイ５０６と第１傾斜面７０３との間およびレンズアレイ５０６と第２傾斜面７０４との間に向けられる。なお、図７に示す保持体の例のように、第１底面部７１５および第２底面部７１６とを備える保持体５０５の場合、ディスペンサー６４５の先端は当該第１底面部７１５および当該第２底面部７１６とに向けられても構わない。この状態で、ディスペンサー６４５が接着剤を吐出しながら、レンズアレイ５０６の長手方向（図中の矢印方向）に沿って移動する。これによって、接着剤９０７がレンズアレイ５０６の側壁面と第１傾斜面７０３および第２傾斜面７０４との間に流し込まれる。なお、ディスペンサー６４５の移動は、組立装置が自動的に行っても構わないし、組立作業者が手動で移動させても構わない。【００８９】
第１内壁面５０７を第２内壁面５０８との間にレンズアレイ５０６が挿入された状態において、第１内壁面５０７とレンズアレイ５０６の側壁面（第１側壁面）との間には０．２ｍｍ程度の隙間が、第２内壁面５０８とレンズアレイ５０６の側壁面（第２側壁面）との間にも０．２ｍｍ程度の隙間が形成され得る。すなわち、保持体５０５は、第１内壁面５０７と第２内壁面５０８との間隔の幅と、左右方向におけるレンズアレイ５０６の厚さと、の差が０．４ｍｍ程度となるように設計される。言い換えれば、第１内壁面５０７とレンズアレイ５０６の側壁面（第１側壁面）とは０．２ｍｍの隙間をもって対向している。また、第２内壁面５０８とレンズアレイ５０６の側壁面（第２側壁面）とは０．２ｍｍの隙間をもって対向している。以上のように、第１内壁面５０７とレンズアレイ５０６の側壁面（第１側壁面）、および、第２内壁面５０８とレンズアレイ５０６の側壁面（第２側壁面）、がそれぞれ近接して対向している。これにより、レンズアレイ５０６と第１傾斜面７０３との間およびレンズアレイ５０６と第２傾斜面７０４との間に吐出された接着剤は、第１内壁面５０７とレンズアレイ５０６の側壁面（第１側壁面）との間、また、第２内壁面５０８とレンズアレイ５０６の側壁面（第２側壁面）との間から鉛直方向下方に垂れ落ちない。【００９０】
図８（ａ）は、本実施例における保持体５０５のレンズ取付部７０１の前側の拡大図である。前述の通り、レンズ取付部７０１の前側は端部に近付くに従い下側に傾斜している（傾斜部９０４）。図８（ａ）では不図示としているが、レンズ取付部７０１の後側も同様の構造になっている。傾斜部９０４を設けることで、接着剤９０７が自重によって傾斜部９０４の傾斜に沿って流れる。これにより、レンズ取付部７０１の前側および後側において、接着剤９０７の塗り抜けを防止する効果が期待できる。【００９１】
さらに、図８（ｂ）に示すように、保持体５０５の上面のうち、レンズアレイ５０６の露出部９１２と重なっている部分には溝部９０３が形成されている。溝部９０３は、保持体５０５の前後方向と交差する方向に延びて形成されている。溝部９０３が傾斜部９０４の直下に設けられていることで、傾斜を流れ落ちた接着剤９０７が溝部９０３内に留まる。これにより、接着剤９０７が保持体５０５からその周囲に流れ落ちることを防止できる。【００９２】
また、接着剤９０７を保持体５０５上に留めておく構成として、図９に示す構成も考え得る。図９に示すように、保持体５０５の上側の面で貫通孔９０６よりも右側および左側には、上側に向けて突出する凸部９１３が形成されている。レンズアレイ５０６と第１傾斜面７０３（第２傾斜面７０４）との間から溢れた接着剤９０７は、レンズアレイ５０６と凸部９１３との間に滞留する。レンズアレイ５０６と第１傾斜面７０３（第２傾斜面７０４）との間から溢れた接着剤９０７を確実に保持体５０５上に滞留させるために、凸部９１３の上端はレンズアレイ５０６の光出射面よりも感光ドラム１０３に近い位置であることが望ましい。【００９３】
ここから、光プリントヘッド１０５を移動させる必要性について説明する。本実施例の画像形成装置１は、図２で説明したようにドラムユニット５１８を交換する際に感光ドラム１０３の回転軸線方向であって装置本体の前側にドラムユニット５１８をスライド移動させる。光プリントヘッド１０５が感光ドラム１０３表面近傍に位置した状態でドラムユニット５１８を移動させるとスライド移動する感光ドラム１０３表面に接触してしまい、装着する感光ドラム１０３の表面に傷がついてしまう。また、ドラムユニット５１８の枠体にレンズアレイ５０６が接触してレンズアレイ５０６に傷がついてしまう。そのため、感光ドラム１０３を露光する露光位置（図１０（ａ））と当該露光位置よりも交換ユニットから退避した退避位置（図１０（ｂ））との間で、光プリントヘッド１０５が往復移動する構造が必要である。光プリントヘッド１０５が露光位置（図１０（ａ））の状態でスライド部５２５が矢印Ａ方向にスライド移動すると光プリントヘッド１０５は退避位置（図１０（ｂ））へと向かう方向に移動する。一方、光プリントヘッド１０５が退避位置（図１０（ｂ））の状態でスライド部５２５が矢印Ｂ方向にスライド移動すると光プリントヘッド１０５は露光位置（図１０（ａ））へと向かう方向に移動する。詳細は後述する。【００９４】
図１１（ａ１）は露光位置に位置する光プリントヘッド１０５の後側、およびドラムユニット５１８の後側に設けられたブッシュ６７１を示す斜視図である。図１１（ａ２）は光プリントヘッド１０５が露光位置に位置する際の第２支持部５２８およびドラムユニット５１８の後側に設けられたブッシュ６７１を示す断面図である。図１１（ｂ１）は退避位置に位置する光プリントヘッド１０５の後側、およびドラムユニット５１８の後側に設けられたブッシュ６７１を示す斜視図である。図１１（ｂ２）は光プリントヘッド１０５が退避位置に位置する際の第２支持部５２８およびドラムユニット５１８の後側に設けられたブッシュ６７１を示す断面図である。【００９５】
図１１を用いて、光プリントヘッド１０５の後側に設けられた当接ピン５１５がドラムユニット５１８側に設けられたブッシュ６７１に当接する様子を説明する。ドラムユニット５１８の前側にも当接ピンが当接するブッシュ６７１に相当する部品が設けられており、その構造はブッシュ６７１の構造と同様であって、機能についても実質的に同一である。ここでは当接ピン５１５がドラムユニット５１８側に設けられたブッシュ６７１に当接する様子のみ説明する。【００９６】
図１１（ａ１）および図１１（ｂ１）より、リンク部材６５２が保持体５０５に取り付けられている部分は、上下方向（光プリントヘッド１０５が露光位置と退避位置とを移動する方向：往復移動方向）における当接ピン５１５の両端のうち交換ユニット側（ドラムユニット５１８が配置されている側）とは反対側の端部より感光ドラム１０３側である。リンク部材６５２が取り付けられるバネ取付部６６２が、当接ピン５１５と上下方向で交差しないように配置されている。また、ここでは図示しないが、リンク部材６５１が保持体５０５に取り付けられている部分も、上下方向（光プリントヘッド１０５が露光位置と退避位置とを移動する方向往復移動方向）における当接ピン５１４の両端のうち交換ユニット側（ドラムユニット５１８が配置されている側）とは反対側の端部より感光ドラム１０３側である。リンク部材６５１が取り付けられるバネ取付部６６１が、当接ピン５１４と上下方向で交差しないように配置されている。これにより、露光ユニット５００が上下方向で大型化することを抑制している。【００９７】
図１１（ａ２）および図１１（ｂ２）に示すように、第２支持部５２８は第２座面５８７、規制部１２８、第１壁面５８８、第２壁面５８９を備える。第２座面５８７は、保持体５０５の下側に設けられている。露光位置から退避位置に向かって移動する保持体５０５の下側が、第２座面５８７および後述する第１支持部５２７の第１座面５８６に対して、鉛直方向上側から当接することで、光プリントヘッド１０５が退避位置となる。規制部１２８は第２支持部５２８に形成された前側に開いたコの字状の凹部であって、保持体５０５に対してドラムユニット５１８が位置する側とは反対側に配置されており、当接ピン５１５が上下方向に移動可能なように当接ピン５１５より後側から嵌っている。保持体５０５の下側から突き出た当接ピン５１５は、規制部１２８によって形成された間隙内を移動しながら保持体５０５と共に上下移動する。ここでは図示しないが、第１支持部５２７も規制部１２７を備える。規制部１２７は第１支持部５２７に形成された前側に開いたコの字状の凹部であって、保持体５０５に対してドラムユニット５１８が位置する側とは反対側に配置されており、当接ピン５１４が上下方向に移動可能なように当接ピン５１４より前側から嵌っている。保持体５０５の下側から突き出た当接ピン５１４は、規制部１２７によって形成された間隙内を移動しながら保持体５０５と共に上下移動する。規制部１２７は当接ピン５１４との接触で生じる摩擦力を可能な限り低減するため、テーパ形状を成している。これにより、当接ピン５１４は規制部１２７の間隙において滑らかに上下移動することができる。したがって、当接ピン５１５及び当接ピン５１４と一体の保持体５０５は前後方向（感光ドラム１０３の回転軸線方向）と上下方向（光プリントヘッド１０５が露光位置と退避位置とを移動する方向：往復移動方向）との双方に交差する方向への移動が規制される。また、規制部１２７は当接ピン５１４が後側から前側へ移動することを規制しても構わないし、規制部１２８は当接ピン５１５が前側から後側へ移動することを規制しても構わない。【００９８】
第１壁面５８８と第２壁面５８９とは左右方向で対面する位置に配置されており、間隙を形成している。光プリントヘッド１０５が露光位置と退避位置とを往復移動するにあたり、保持体５０５は第１壁面５８８と第２壁面５８９とによって形成された間隙内を上下方向に移動する。その間、保持体５０５は第１壁面５８８と第２壁面５８９とによって前後方向（感光ドラム１０３の回転軸線方向）と上下方向（光プリントヘッド１０５が露光位置と退避位置とを移動する方向：往復移動方向）との双方に交差する方向への移動が規制される。【００９９】
以上の構成により、光プリントヘッド１０５は前後方向（感光ドラム１０３の回転軸線方向）と上下方向（光プリントヘッド１０５が露光位置と退避位置とを移動する方向：往復移動方向）との双方に交差する方向への移動が規制された状態で露光位置と退避位置とを移動する。なお、規制部１２７と規制部１２８は、少なくとも一方が第１支持部５２７または第２支持部５２８に設けられていれば構わない。すなわち、規制部１２７が支持部の一例としての第１支持部５２７に設けられているか、規制部１２８が第２支持部５２８に設けられているかすれば十分である。【０１００】
図１１（ａ１）および図１１（ａ２）に示すように、当接ピン５１５がドラムユニット５１８の後側に設けられたブッシュ６７１に当接し、かつ、当接ピン５１４（不図示）がドラムユニット５１８の前側に設けられたブッシュ６７１に相当する部品に当接した位置が、光プリントヘッド１０５の露光位置である。当接ピン５１４、および当接ピン５１５がブッシュ６７１およびブッシュ６７１に相当する部品にそれぞれ当接することによって、レンズアレイ５０６と感光ドラム１０３表面との距離が設計称呼となる。【０１０１】
一方、図１１（ｂ１）および図１１（ｂ２）に示すように、当接ピン５１５がドラムユニット５１８の後側に設けられたブッシュ６７１から退避した位置が、光プリントヘッド１０５の退避位置に相当する。光プリントヘッド１０５が図１１（ｂ１）および図１１（ｂ２）に示す退避位置に位置することによって交換のためにスライド移動するドラムユニット５１８と光プリントヘッド１０５が接触しない状態となる。【０１０２】
ここで、ドラムユニット５１８が備えるブッシュ６７１について説明する。図１２にブッシュ６７１の斜視図を示す。ブッシュ６７１は、ドラムユニット５１８の筐体にビスあるいは接着剤によって固定された部材である。図１２に示すように、ブッシュ６７１には開口９１６が形成されている。開口９１６には感光ドラム１０３の他端側の軸部材が回転可能に挿入されている。すなわち、ブッシュ６７１は感光ドラム１０３を回転可能に軸支する。【０１０３】
感光ドラム１０３は中空の円柱形状のアルミ管の外壁面に感光層が形成されている。アルミ管の両端にはフランジ６７３が圧入されている。ブッシュ６７１に形成された開口９１６には感光ドラム１０３の他端側のフランジ６７３が回転可能に挿入されている。フランジ６７３は、ブッシュ６７１に形成された開口９１６の内壁面に摺擦しながら回転する。すなわち、ブッシュ６７１は感光ドラム１０３を回転可能に軸支する。また、当接ピン５１４が当接する、ドラムユニット５１８の前側に設けられたブッシュ６７１に相当する部品の中央部にもブッシュ６７１と同様に開口が形成されている。ブッシュ６７１に相当する部品に形成された開口には感光ドラム１０３の一端側（前側）のフランジ６７３が回転可能に挿入されている。フランジ６７３は、当該開口の内壁面に摺擦しながら回転する。すなわち、ドラムユニット５１８の後側と同様、前側においてもブッシュ６７１は感光ドラム１０３を回転可能に軸支する。【０１０４】
ブッシュ６７１は、当接ピン５１５が嵌る嵌合部６８５を備える。嵌合部６８５は、当接面５５１と、後側壁面５９６と、テーパ部５８５と、を備える。嵌合部６８５はブッシュ６７１に対して窪んでいても構わないし、立設されていても構わない。当接面５５１には、退避位置から露光位置へと向かう方向へ移動する当接ピン５１５が当接する。嵌合部６８５の下端の淵はテーパ形状であるテーパ部５８５が形成されている。テーパ部５８５は、退避位置から露光位置へと向かう方向へ移動する当接ピン５１５が、当接面５５１に当接するようにその移動を案内する。後側壁面５９６と当接ピン５１５との接触については後で説明する。【０１０５】
嵌合部６８５の当接面５５１に当接した当接ピン５１５は、嵌合部６８５によって前後方向（感光ドラム１０３の回転軸線方向）と上下方向（光プリントヘッド１０５が露光位置と退避位置とを移動する方向：往復移動方向）との双方に交差する方向への移動が規制される。すなわち、露光位置に位置する光プリントヘッド１０５（図１１（ａ２）参照）において、当接ピン５１５の上端は嵌合部６８５によって前後方向と上下方向との双方に交差する方向への移動が規制され、当接ピン５１５の下端は規制部１２８によって前後方向と上下方向との双方に交差する方向への移動が規制される。ここで、嵌合部６８５の左右方向の径と当接ピン５１５の上端の左右方向の径との差と規制部１２８の左右方向の径と当接ピン５１５の下端の左右方向の径との差は、第１壁面５８８と第２壁面５８９との左右方向の間隔と第１壁面５８８と第２壁面５８９との間に位置する保持体５０５との差よりも小である。したがって、光プリントヘッド１０５が露光位置である時、第１壁面５８８と第２壁面５８９は保持体５０５の前後方向と上下方向との双方に交差する方向への移動の規制には関与しない。
（移動機構）【０１０６】
以下、光プリントヘッド１０５を移動させるための移動機構６４０について説明する。【０１０７】
まず、第１支持部５２７ついて説明する。図１３（ａ）は第１支持部５２７の概略斜視図である。第１支持部５２７には、突き当て部（停止機構）の一例としての第１座面５８６、差し込み部の一例としての開口部７００、当接部５２９、規制部１２７、突起６０１、ビス孔６０２、位置決めボス６０３、位置決めボス６０４、ビス孔６０５が形成されている。ここで、第１支持部５２７は、開口部７００と第１座面５８６とが一体的に射出成形された成形物であっても構わないし、互いに別部材であっても構わない。【０１０８】
第１座面５８６は、露光位置から退避位置に向けて移動する保持体５０５の下側が、鉛直方向上側から当接する部分であって、画像形成装置１本体に固定されている。保持体５０５の下側が第１座面５８６に当接し、光プリントヘッド１０５が退避位置となる。【０１０９】
開口部７００にはトナー等によって汚れたレンズアレイ５０６の光出射面を清掃するための清掃部材５７２が、画像形成装置１本体の外側から差し込まれる。清掃部材５７２は長尺の棒状の部材である。本実施例では、開口部７００の一例として前後方向に貫通する貫通孔を示すが、孔に限らず、例えば上部にスリットが形成されていても構わない。当接部５２９は、図１３（ａ）に斜線で示すように第１支持部５２７の後側の面であって開口部７００の上側と下側の領域である。当接部５２９の機能については後で詳細を説明する。【０１１０】
図１３（ａ）に示すように、規制部１２７は第１支持部５２７に形成された後側に開いたコの字状の凹部である。保持体５０５の下側から突き出た当接ピン５１４の一部は、規制部１２７によって形成された間隙の間を保持体５０５と共に上下移動する。規制部１２７は当接ピン５１４との接触で生じる摩擦力を可能な限り低減するため、テーパ形状を成しており、当接ピン５１４に近付くに従い上下方向の厚さが薄くなっている。これにより、当接ピン５１４は規制部１２７の間隙において滑らかに上下移動することができる。【０１１１】
第１支持部５２７は前側板６４２の前側の面に固定されている。前側板６４２には位置決めボス６０３、位置決めボス６０４、固定用のビスそれぞれに対応する複数の孔が形成されている（不図示）。位置決めボス６０３および位置決めボス６０４は、設けられた複数の孔に挿入されており、その状態で第１支持部５２７のビス孔から通されたビスによって第１支持部５２７は前側板６４２に固定されている。【０１１２】
後述する第３支持部５２６はコの字型に折り曲げられた板金である。図１３（ｂ）は、第３支持部５２６の長手方向における一端部が図１３（ａ）に示す点線で囲まれた部分に挿入される様子を説明するための図を示し、図１３（ｃ）は第３支持部５２６の長手方向における一端部が図１３（ａ）に示す点線で囲まれた部分に挿入された図を示す。図１３（ｂ）および（ｃ）に示すように、第３支持部５２６の一端部には切欠きが設けられており、第１支持部５２７側の突起６０１が第３支持部５２６の切欠きに係合する。突起６０１が第３支持部５２６の切欠きに係合することによって第１支持部５２７に対して第３支持部５２６の左右方向の位置が決まる。第３支持部５２６は、ビス孔６０２から挿入されたビスによって図１３（ｃ）の下側から加圧されて第１支持部５２７の接触面６８１に当接することによって第１支持部５２７に固定されている。【０１１３】
次に、第２支持部５２８について説明する。図１４（ａ）は第２支持部５２８の概略斜視図である。第２支持部５２８には、第２座面５８７と、第１壁面５８８と、第２壁面５８９と、規制部１２８が形成されている。【０１１４】
第２座面５８７は前で説明した通り、露光位置から退避位置に向けて移動する保持体５０５の下側が当接する部分である。第２座面５８７は、画像形成装置１本体に固定されている。保持体５０５の下側が第２座面５８７に当接し、光プリントヘッド１０５が退避位置となる。【０１１５】
図１４（ｂ）に示すように、第２支持部５２８は後側板６４３の前側の面に固定されている。第２支持部５２８は、第１支持部５２７が前側板６４２に固定される方法と同様に、位置決めボスおよびビスによって後側板６４３に固定されている。図１４（ｃ）は、第３支持部５２６の長手方向における第３支持部５２６の他端側（後側）が図１４（ａ）に示す点線で囲まれた部分に挿入された状態を示す。すなわち、第３支持部５２６は一端部が第１支持部５２７に支持され、他端部が第２支持部５２８に支持され、第１支持部５２７および第２支持部５２８がそれぞれ前側板６４２および後側板６４３に固定されている。そのため、第３支持部５２６は画像形成装置１本体に対して固定されていることになる。【０１１６】
なお、第２支持部５２８は第３支持部５２６に対してビス等によって固定され、後側板６４３とはビス留めされていない構成であっても構わない。その場合、例えば、第２支持部５２８には凹部が形成されており、後側板６４３に形成された凸部に嵌ることで、後側板６４３に対する第２支持部５２８の位置が決まる構造とする。第２支持部５２８の第１壁面５８８、第２壁面５８９については後述する。【０１１７】
図１４（ａ）に示すように、規制部１２８は第２支持部５２８に形成された前側に開いたコの字状の凹部である。保持体５０５の下側から突き出た当接ピン５１５の一部は、規制部１２８によって形成された間隙の間を保持体５０５と共に上下移動する。規制部１２８は当接ピン５１５との接触で生じる摩擦力を可能な限り低減するため、テーパ形状を成しており、当接ピン５１５に近付くに従い上下方向の厚さが薄くなっている。これにより、当接ピン５１５は規制部１２８の間隙において滑らかに上下移動することができる。【０１１８】
次に、図１５を用いて第３支持部５２６およびスライド部５２５について説明する。第３支持部５２６およびスライド部５２５は、保持体５０５に対して感光ドラム１０３とは反対側に配置されている。【０１１９】
図１５（ａ）は、第１支持部５２７を不図示とした移動機構６４０の前側を左側から見た概略斜視図である。また、図１５（ｂ）は、第１支持部５２７を不図示とした移動機構６４０の前側を右側から見た概略斜視図である。移動機構６４０はリンク部材６５１と、スライド部５２５と、第３支持部５２６を備える。第３支持部５２６は、支持軸５３１と、Ｅ型止め輪５３３と、を備える。図１５に示すように、支持軸５３１は、コの字型に加工された第３支持部５２６の対向する面（左側面と右側面）に設けられた開口に挿入されている。支持軸５３１は第３支持部５２６の右側面および左側面を貫通している。支持軸５３１は、第３支持部５２６の開口から抜け落ちないように左側面の外側でＥ型止め輪５３３にて留められている。一方、図１５（ａ）に示すようにスライド部５２５には前後方向に延びる長尺の開口である長孔６９１が形成されている。支持軸５３１はスライド部５２５の長孔６９１に挿入されており、長孔６９１に対し例えば上下方向において０．１〜０．５ｍｍ程度の隙間を以て緩嵌している。そのため、スライド部５２５は、第３支持部５２６に対して上下方向の移動が規制され、長孔６９１の前後方向の長さの分だけ第３支持部５２６に対してスライド移動可能となる。【０１２０】
また、スライド部５２５の一端側には左側から下側に亘って収納スペース５６２を有するスライド補助部材５３９が取り付けられている。スライド補助部材５３９はスライド部５２５に対して左側からビス留めされることで固定されている。収納スペース５６２には後述するカバー５５８が備える加圧部５６１が収納される。収納スペース５６２と加圧部５６１との関係および構造的特徴については、後のカバー５５８についての説明と合わせて記載する。【０１２１】
以下、図３、図１５および図１６を用いて移動機構６４０について説明する。【０１２２】
図３は移動機構６４０を備える露光ユニット５００の概略斜視図である。図３に示すように移動機構６４０は第１リンク機構８６１と、第２リンク機構８６２と、スライド部５２５と、第１支持部５２７と、第２支持部５２８と、第３支持部５２６を備える。第１リンク機構８６１はリンク部材６５１とリンク部材６５３を備え、第２リンク機構８６２はリンク部材６５２とリンク部材６５４を備える。図３に示すように、リンク部材６５１とリンク部材６５３、リンク部材６５２とリンク部材６５４はそれぞれλ型のリンク機構を構成する。【０１２３】
図１５（ａ）は、第１支持部５２７を不図示とした移動機構６４０の前側を左側から見た概略斜視図である。また、図１１（ｂ）は、第１支持部５２７を不図示とした移動機構６４０の前側を右側から見た概略斜視図である。【０１２４】
以下、図１５（ａ）、図１５（ｂ）、図１６（ａ）および図１６（ｂ）を用いて、第１リンク機構８６１について説明する。図１２（ａ）は、第１リンク機構８６１を感光ドラム１０３の回転軸線に沿った面で切断した断面図を右側から見た図である。第１リンク機構８６１は、リンク部材６５１と、リンク部材６５３を備える。第１リンク機構８６１を構成するリンク部材６５１およびリンク部材６５３はそれぞれ単一のリンク部材であるが、複数のリンク部材を組み合わせて構成しても良い。【０１２５】
図１６（ａ）および（ｂ）に示すように、リンク部材６５３の長手方向の長さはリンク部材６５１の長手方向の長さよりも短い。【０１２６】
リンク部材６５１は、軸受部６１０、突起６５５、および接続軸部５３８、を備える。軸受部６１０はリンク部材６５１の長手方向の一端側に設けられている。突起６５５は、リンク部材６５１の長手方向の他端側に設けられた、リンク部材６５１の回動軸線方向に立設した円柱状の突起であって、光プリントヘッド１０５の保持体５０５側に設けられたバネを変形させるための突起である。接続軸部５３８はリンク部材６５１の長手方向において軸受部６１０と突起６５５との間に設けられている。なお、突起６５５に限らず、リンク部材６５１の長手方向の一端側が回動軸線方向に屈曲した構造でも構わない。【０１２７】
軸受部６１０には図１６（ａ）の左右方向に延びる円形の中空孔が形成されている。スライド部５２５には嵌合軸部５３４が設けられている。嵌合軸部５３４はスライド部５２５から図１６（ａ）の左方向に立設した円柱状の突起である。嵌合軸部５３４は軸受部６１０の孔に対して回動可能に嵌合されることで第１接続部を形成する。すなわち、リンク部材６５１は第１接続部を回動中心としてスライド部５２５に対して回動可能となっている。ここで、嵌合軸部５３４がリンク部材６５１側に形成され、軸受部６１０がスライド部５２５に形成されていても構わない。【０１２８】
リンク部材６５３は、接続軸部５３０を備える。接続軸部５３０はリンク部材６５３の長手方向の一端側に設けられている。接続軸部５３０はリンク部材６５３から図１６（ａ）の左側に立設した円柱状の突起である。接続軸部５３０は第３支持部５２６に形成された孔に回転可能に挿入され、第３接続部を形成する。ここで、接続軸部５３０はリンク部材６５３ではなく、第３支持部５２６に形成されていても構わない。すなわち、リンク部材６５３に形成された孔に第３支持部に形成された接続軸部５３０が挿入されていてもよい。【０１２９】
リンク部材６５３の長手方向の他端側には図１６（ａ）の左右方向に延びる円形の孔が形成されている。当該孔にはリンク部材６５１の接続軸部５３８が回動可能に挿入されており、接続軸部５３８とリンク部材６５３の孔は第４接続部を形成する。すなわち、リンク部材６５３は、第３接続部を回動中心に第３支持部５２６に対して回動可能であり、第４接続部を回動中心にリンク部材６５１に対して回動可能となっている。ここで、接続軸部５３８はリンク部材６５１ではなく、リンク部材６５３に形成されていても構わない。すなわち、リンク部材６５１に形成された孔にリンク部材６５３に形成された接続軸部５３８が挿入されてもよい。【０１３０】
なお、第２リンク機構８６２の構成についても、上で説明した第１リンク機構８６１の構成と同様である。第２リンク機構８６２が備えるリンク部材６５２およびリンク部材６５４は、それぞれリンク部材６５１およびリンク部材６５３に対応する。また、第１接続部に対応して、リンク部材６５２の長手方向の一端側とスライド部５２５との接続部分は第２接続部を構成する。なお、移動機構６４０の実施の形態はリンク部材６５３とリンク部材６５４のいずれか一方を省略しても良い。【０１３１】
以上の構成により、スライド部５２５が第３支持部５２６に対して前側から後側へスライド移動すると、スライド部５２５と共に嵌合軸部５３４に嵌合した軸受部６１０が第３支持部５２６に対して前側から後側へスライド移動する。これにより、図１６（ａ）に示すように第１リンク機構８６１を右側から見た時、リンク部材６５１は嵌合軸部５３４を回動中心として時計回りに回動し、かつ、リンク部材６５３は接続軸部５３０を回動中心として反時計回りに回動する。よって、突起６５５が露光位置から退避位置へと向かう方向へ移動する。【０１３２】
一方、スライド部５２５が第３支持部５２６に対して後側から前側へスライド移動すると、リンク部材６５１およびリンク部材６５３は図１６（ａ）に記載の矢印とは逆方向に移動する。スライド部５２５が、第３支持部５２６に対して後側から前側へスライド移動するとスライド部５２５と共に嵌合軸部５３４に嵌合した軸受部６１０が第３支持部５２６に対して後側から前側へスライド移動する。これにより、図１６（ａ）に示すように第１リンク機構８６１を右側から見た時、リンク部材６５１は嵌合軸部５３４を回動中心として反時計回りに回動し、かつ、リンク部材６５３は接続軸部５３０を回動中心として時計回りに回動する。よって、突起６５５は退避位置から露光位置へと向かう方向へ移動する。【０１３３】
なお、（１）接続軸部５３８の回動中心軸と軸受部６１０の回動中心軸との距離をＬ１、（２）接続軸部５３８の回動中心軸と接続軸部５３０の回動中心軸との距離をＬ２、（３）接続軸部５３８の回動中心軸と突起６５５の回動中心軸との距離をＬ３とする。移動機構６４０において第１リンク機構８６１は、Ｌ１、Ｌ２、Ｌ３は互いに等しいスコットラッセル機構を形成する（図１６（ｂ）参照）。距離Ｌ１、Ｌ２、Ｌ３は等しくすることによって、嵌合軸部５３４のスライド移動方向に対して突起６５５が垂直に移動（図１６（ｂ）の点線Ａ上）するため、上記のリンク機構において光プリントヘッド１０５をレンズの略光軸方向に移動させることができる。【０１３４】
ここで、第１リンク機構８６１と、第２リンク機構８６２と、のそれぞれを前後方向で逆の構造とし、スライド部５２５を前側から後側へスライド移動させると光プリントヘッド１０５が退避位置から露光位置に向けて移動し、スライド部５２５を後側から前側へスライド移動させると光プリントヘッド１０５が露光位置から退避位置に向けて移動する構成としても構わない。この場合、後述するカバー５５８は、開状態から閉状態への移動時にスライド部５２５を前側から後側へ押し込み、閉状態から開状態への移動時にスライド部５２５を後側から前側へ引き込む。【０１３５】
光プリントヘッド１０５を移動させる機構は移動機構６４０に限らず、図１７に示す移動機構１４０でも構わない。以下、図１７および図１８を用いて移動機構１４０について説明する。なお、移動機構６４０を構成する部材と実質的に同じ機能を有する部材には同じ符合を付して説明し、重複する説明は省略する場合がある。【０１３６】
以下、図１７（ａ）、図１７（ｂ）、および図１８（ａ）、図１８（ｂ）を用いて、移動機構１４０が保持体５０５を移動させる仕組みについて説明する。図１８（ａ）は、保持体５０５と図１８（ｂ）に示す移動機構１４０とを感光ドラム１０３の回転軸線に沿った面で切断した断面図である。【０１３７】
図１７（ａ）および（ｂ）に示すように、リンク部材１５１は、軸受部１１０と、突起１５５を備える。軸受部１１０はリンク部材１５１の長手方向の一端側に設けられている。図１８（ａ）および（ｂ）に示すように突起１５５は、リンク部材１５１の長手方向の他端側に設けられた、リンク部材１５１の回動軸線方向に立設した円柱状の突起であって、光プリントヘッド１０５の保持体５０５側に設けられたバネを変形させるための突起である。ここで、突起１５５に限らず、リンク部材１５１の長手方向の一端側がリンク部材１５１の回動軸線方向に屈曲した構造でも構わない。【０１３８】
軸受部１１０には左右方向に延びる円形の中空孔が形成されている。図１８（ａ）および（ｂ）に示すように、スライド部５２５には嵌合軸部５３４が設けられている。嵌合軸部５３４はスライド部５２５から左方向に立設した円柱状の突起である。軸受部１１０の孔が嵌合軸部５３４に対して回動可能に嵌合されることで第１接続部を形成する。すなわち、リンク部材１５１は第１接続部を回動中心としてスライド部５２５に対して回動可能となっている。ここで、嵌合軸部５３４がリンク部材１５１側に形成され、軸受部１１０がスライド部５２５に形成されていても構わない。【０１３９】
なお、第３支持部５２６の後側には支持軸５３１と同様の軸が設けられ、スライド部５２５の後側には長孔６９１と同様の長孔が形成されており、移動機構１４０の後側は前側と同様の構造である。また、リンク部材１５２の構造についてもリンク部材１５１に対応するものである。また、第１接続部に対応して、リンク部材１５２の長手方向の一端側とスライド部５２５との接続部分は第２接続部を構成する。【０１４０】
保持体５０５の一端より前側には第１支持部５２７（不図示）の当接部５２９が配置されている。これにより、スライド部５２５が第３支持部５２６に対して後側から前側へスライド移動すると、スライド部５２５と共に嵌合軸部５３４に嵌合した軸受部１１０が第３支持部５２６に対して後側から前側へスライド移動する。それに伴い、突起１５５が取り付けられた保持体５０５も前側に移動しようとするが、保持体５０５の一端は当接部５２９に当接しており前側への移動が制限される。リンク部材１５１は、突起１５５を備える一端側が軸受部１１０を備える他端側よりドラムユニット５１８側に位置するように感光ドラム１０３の回転軸線方向に交差して配置されているため、図１８（ａ）に示すように右側から見ると嵌合軸部５３４を回動中心として反時計回りに回動する。よって、保持体５０５は、保持体５０５の一端が当接部５２９に当接しながら退避位置から露光位置に向かって移動する。【０１４１】
一方、スライド部５２５が、第３支持部５２６に対して前側から後側へスライド移動するとスライド部５２５と共に嵌合軸部５３４に嵌合した軸受部１１０が第３支持部５２６に対して後側から前側へスライド移動する。これにより、リンク部材１５１は、図１８（ａ）に示すように右側から見ると嵌合軸部５３４を回動中心として時計回りに回動する。よって、突起１５５は露光位置から退避位置へと向かう方向へ移動する。詳しくは後述するが、スライド部５２５はカバー５５８の閉動作に連動して後側から前側に移動し、カバー５５８の開動作に連動して前側から後側に移動する。すなわち、カバー５５８が開状態から閉状態に移動すると保持体５０５が退避位置から露光位置へ向かう方向に移動し、カバー５５８が閉状態から開状態に移動すると保持体５０５が露光位置から退避位置へ向かう方向に移動する。【０１４２】
光プリントヘッド１０５がレンズの略光軸方向に移動する時、保持体５０５の後側は、前記した第２支持部５２８が備える第１壁面５８８と第２壁面５８９とが形成する間隙を移動する。これにより、保持体５０５が左右方向に傾倒することを防止する。【０１４３】
なお、リンク部材１５１およびリンク部材１５２は、他端側が一端側より前側に配置され、当接部５２９が保持体５０５の他端より後側に配置されていても構わない。すなわち、スライド部５２５が第３支持部５２６に対して前側から後側へスライド移動すると、スライド部５２５と共に嵌合軸部５３４に嵌合した軸受部１１０が第３支持部５２６に対して前側から後側へスライド移動する。それに伴い突起１５５が取り付けられた保持体５０５も後側に移動しようとするが、保持体５０５の他端は当接部５２９に当接しており後側への移動が制限される。よって、リンク部材１５１を右側から見た時、リンク部材１５１およびリンク部材１５２はスライド部５２５に対して時計回りに回動し、保持体５０５は他端が当接部５２９に当接しながら退避位置から露光位置に向かって移動する。この場合、カバー５５８は、開状態から閉状態への移動時にスライド部５２５を前側から後側へ押し込み、閉状態から開状態への移動時にスライド部５２５を後側から前側へ引き込む。【０１４４】
光プリントヘッド１０５を移動させる機構は移動機構６４０や移動機構１４０に限らず、図１９に示す移動機構８４０でも構わない。以下、図１９を用いて移動機構８４０について説明する。なお、移動機構６４０（１４０）を構成する部材と実質的に同じ機能を有する部材には同じ符合を付して説明し、重複する説明は省略する場合がある。【０１４５】
図１９（ａ１）および図１９（ａ２）は移動機構８４０である。図１９（ａ１）および図１９（ａ２）に示すように移動機構８４０は第１リンク機構８５８と、第２リンク機構８５９と、スライド部８２５と、第３支持部５２６を備える。第１リンク機構８５８はリンク部材８４３とリンク部材８４４を備え、第２リンク機構８５９はリンク部材８４５とリンク部材８４６を備える。図１９に示すように、リンク部材８４３とリンク部材８４４、リンク部材８４５とリンク部材８４６はそれぞれ互いに回動可能に交差してＸ型のリンク機構を構成する。リンク部材８４３の突起８４７、リンク部材８４４の突起８４８、リンク部材８４５の突起８４９、リンク部材８４６の突起８５０がそれぞれ不図示の保持体８０５に回動可能に取り付けられている。図１９（ａ１）においてスライド部８２５を矢印Ａ方向にスライド移動させるとリンク部材８４３〜８４６がスライド部８２５に対して回動し、突起８４７〜８５０が下側へ移動する（図１９（ａ２））。一方、図１９（ａ２）においてスライド部８２５を矢印Ｂ方向にスライド移動させるとリンク部材８４３〜８４６がスライド部８２５に対して回動し、突起８４７〜８５０が上側へ移動する（図１９（ａ１））。【０１４６】
図１９（ｂ）は、移動機構８４０の前側を保持体８０５の前側と合わせて示した図である。【０１４７】
以下、図１９（ｂ）を用いて、移動機構８４０が保持体８０５を移動させる仕組みについて説明する。ここで、第１リンク機構８５８と第２リンク機構８５９の動作は実質的に同一のため、ここでは第１リンク機構８５８について図１９（ｂ）を用いて説明する。第１リンク機構８５８は、リンク部材８４３と、リンク部材８４４を備える。第１リンク機構８５８を構成するリンク部材８４３およびリンク部材８４４はそれぞれ単一のリンク部材であるが、複数のリンク部材を組み合わせて構成しても良い。【０１４８】
図１９（ｂ）における移動機構８４０は、第１リンク機構８５８、スライド部８２５を備える。図１９（ｂ）に示すように、スライド部８２５は左右方向に貫通し前後方向に延びた長尺の開口である長孔８６３を備える。【０１４９】
リンク部材８４３は、突起８１０、突起８４７および接続軸部５３８、を備える。突起８１０はリンク部材８４３の長手方向の一端側に設けられている。突起８４７は、リンク部材８４３の長手方向の他端側に設けられた、リンク部材８４３の回動軸線方向であって右側に立設した円柱状の突起である。接続軸部５３８はリンク部材８４３の長手方向において突起８１０と突起８４７との間に設けられている。なお、突起８４７に限らず、リンク部材８４３の長手方向の一端側が回動軸線方向に屈曲した構造でも構わない。【０１５０】
突起８１０はスライド部８２５の長孔８６３に対して回動可能に緩嵌されることで第１接続部を形成する。すなわち、リンク部材８４３は第１接続部を回動中心としてスライド部８２５に対して回動可能となっている。また、突起８１０は長孔８６３において長孔８６３の前後方向の範囲内（開口内）で前後方向に移動可能である。長孔８６３の後側の縁と突起８１０との間にはコイルばね８６０が配置されている。【０１５１】
リンク部材８４４は、接続軸部５３０と突起８４８を備える。接続軸部５３０はリンク部材８４４の長手方向の一端側に設けられている。接続軸部５３０はリンク部材８４４から図１９（ｂ）の右側に立設した円柱状の突起である。接続軸部５３０は第３支持部５２６に形成された孔に回転可能に挿入され、第３接続部を形成する。ここで、接続軸部５３０はリンク部材８４４ではなく、第３支持部５２６に形成されていても構わない。すなわち、リンク部材８４４に形成された孔に第３支持部に形成された接続軸部５３０が挿入されていてもよい。【０１５２】
突起８４８は、リンク部材８４４の長手方向の他端側に設けられた、リンク部材８４４の回動軸線方向であって右側に立設した円柱状の突起である。【０１５３】
また、リンク部材８４４の突起８４８と第３接続部との間には図１９（ｂ）の左右方向に延びる円形の孔が形成されている。当該孔にはリンク部材８４３の接続軸部５３８が回動可能に挿入されており、接続軸部５３８とリンク部材８４４の孔は第４接続部を形成する。すなわち、リンク部材８４４は、第３接続部を回動中心に第３支持部５２６に対して回動可能であり、第４接続部を回動中心にリンク部材８４３に対して回動可能となっている。ここで、接続軸部５３８はリンク部材８４３ではなく、リンク部材８４４に形成されていても構わない。すなわち、リンク部材８４３に形成された孔にリンク部材８４４に形成された接続軸部５３８が挿入されてもよい。【０１５４】
なお、移動機構８４０の実施の形態はリンク部材８４３とリンク部材８４４のいずれか一方を省略しても良い。【０１５５】
保持体８０５は、レンズアレイ５０６、リンク取付部８５１、リンク取付部８５２、ピン取付部８５５を備える。リンク取付部８５１及びリンク取付部８５２は共に、レンズアレイ５０６と保持体８０５に取り付けられるピン５１４の間に設けられる。なお、ここでは図示しないが、第２リンク機構８５９を構成するリンク部材８４５及びリンク部材８４６が取り付けられるリンク取付部８５３及びリンク取付部８５４も共に、レンズアレイ５０６と保持体８０５の他端側に取り付けられるピン５１５の間に設けられる。リンク取付部８５１は、レンズアレイ５０６とピン取付部８５５との間において保持体８０５に形成された、左右方向に貫通した孔である。また、リンク取付部８５２はレンズアレイ５０６とリンク取付部８５１との間において保持体８０５に形成された、左右方向に貫通し前後方向に延びる長孔である。【０１５６】
リンク取付部８５１にはリンク部材８４３の突起８４７が回動可能に取り付けられており、リンク取付部８５２にはリンク部材８４４の突起８４８が回動可能に取り付けられている。また、突起８４８はリンク取付部８５１に対して前後方向に移動可能に取り付けられている。したがって、リンク部材８４４は突起８４８を回動中心として回動しながらリンク取付部８５２の前後方向の範囲内で前後方向にスライド移動可能である。【０１５７】
以上の構成により、スライド部８２５が第３支持部５２６に対して前側から後側へスライド移動すると、スライド部８２５と共に突起８１０が第３支持部５２６に対して前側から後側へスライド移動する。これにより、図１９（ａ１）に示すように第１リンク機構８５８を右側から見た時、リンク部材８４３は突起８１０を回動中心として時計回りに回動し、かつ、リンク部材８４４は接続軸部５３０を回動中心として反時計回りに回動しながら突起８４８はリンク取付部８５２において前側から後側へ移動する。よって、突起８４７及び突起８４８が露光位置から退避位置へと向かう方向へ移動する。【０１５８】
一方、スライド部８２５が第３支持部５２６に対して後側から前側へスライド移動すると、スライド部８２５と共に突起８１０が第３支持部５２６に対して後側から前側へスライド移動する。これにより、図１９（ａ２）に示すように第１リンク機構８５８を右側から見た時、リンク部材８４３は突起８１０を回動中心として反時計回りに回動し、かつ、リンク部材８４４は接続軸部５３０を回動中心として時計回りに回動しながら突起８４８はリンク取付部において後側から前側へ移動する。よって、突起８４７及び突起８４８が退避位置から露光位置へと向かう方向へ移動する。図１９（ｂ）に示すように、当接ピン５１４が当接面５５０に当接した状態で、更にスライド部８２５が前側へスライド移動すると、コイルばね８６０が長孔８６３の後側の縁と突起８１０とに挟まれて収縮する。収縮したコイルばね８６０の復元力によって、突起８１０は前側へ付勢される。これにより、保持体８０５に上側へ向かう方向の付勢力が付与される。【０１５９】
ここで、第１リンク機構８５８と、第２リンク機構８５９と、のそれぞれを前後方向で逆の構造とし、スライド部８２５を前側から後側へスライド移動させると光プリントヘッド１０５が退避位置から露光位置に向けて移動し、スライド部８２５を後側から前側へスライド移動させると光プリントヘッド１０５が露光位置から退避位置に向けて移動する構成としても構わない。この場合、後述するカバー５５８は、開状態から閉状態への移動時にスライド部８２５を前側から後側へ押し込み、閉状態から開状態への移動時にスライド部８２５を後側から前側へ引き込む。【０１６０】
また、光プリントヘッド１０５を移動させる機構は移動機構６４０、移動機構１４０、移動機構８４０に限らず、図２０に示す移動機構９４０でも構わない。以下、図２０を用いて移動機構９４０について説明する。なお、移動機構６４０（１４０や８４０を含む）を構成する部材と実質的に同じ機能を有する部材には同じ符合を付して説明し、重複する説明は省略する場合がある。【０１６１】
図２０に示すように、スライド部５２５の前側及び後側には第１カム部１１２および第２カム部１１３が設けられており、また、保持体９０５の下側であって前側及び後側には移動支持部１１４及び移動支持部１１５が設けられている。第１カム部１１２および第２カム部１１３は、保持体９０５側に後側から前側に向けて下側に傾斜した面を備える。【０１６２】
図２０（ａ）は、露光位置に位置する光プリントヘッド１０５及び移動機構９４０を右側から見た概略図である。光プリントヘッド１０５が露光位置である際に、スライド部５２５が第３支持部５２６に対して前側から後側へスライド移動すると、スライド部５２５と共にスライド部５２５に設けられた第１カム部１１２および第２カム部１１３が第３支持部５２６に対して前側から後側へスライド移動する。これにより、保持体９０５に設けられた移動支持部１１４及び移動支持部１１５の下端が第１カム部１１２および第２カム部１１３に当接し、移動支持部１１４及び移動支持部１１５が第１カム部１１２および第２カム部１１３に沿って露光位置から退避位置へと向かう方向へ移動する。【０１６３】
図２０（ｂ）は、退避位置に位置する光プリントヘッド１０５及び移動機構９４０を右側から見た概略図である。光プリントヘッド１０５が退避位置である際に、スライド部５２５が第３支持部５２６に対して後側から前側へスライド移動すると、スライド部５２５と共にスライド部５２５に設けられた第１カム部１１２および第２カム部１１３が第３支持部５２６に対して後側から前側へスライド移動する。これにより、保持体９０５に設けられた移動支持部１１４及び移動支持部１１５の下端が第１カム部１１２および第２カム部１１３に沿って、退避位置から露光位置へと向かう方向へ押し上げられ移動する。【０１６４】
ここで、第１カム部１１２および第２カム部１１３と、のそれぞれが備える傾斜面の傾斜方向を前側から後側へ向けて下側に傾斜した構造とし、スライド部５２５を前側から後側へスライド移動させると光プリントヘッド１０５が退避位置から露光位置に向けて移動し、スライド部５２５を後側から前側へスライド移動させると光プリントヘッド１０５が露光位置から退避位置に向けて移動する構成としても構わない。この場合、後述するカバー５５８は、開状態から閉状態への移動時にスライド部５２５を前側から後側へ押し込み、閉状態から開状態への移動時にスライド部５２５を後側から前側へ引き込む。【０１６５】
次に、図２１を用いてカバー５５８について説明する。カバー５５８はスライド部５２５を上記のようにスライド移動させるための部材である。なお、スライド部５２５をスライド移動させる構成はカバー５５８に限定されるものではない。例えば、不図示の前扉の開閉に連動してスライド部５２５がスライド移動するように構成しても良い。また、カバー５５８や扉のような被覆部材ではなく、レバーのような回動部材の回動に連動してスライド部５２５がスライド移動するように構成しても良い。【０１６６】
図２１（ａ）はカバー５５８の斜視図である。図２１（ａ）に示すように、カバー５５８は、回動軸部５５９と、回動軸部５６０と、を備える。回動軸部５５９は、カバー５５８の右側方向に突出する円柱形状の突起である。一方、回動軸部５６０は、カバー５５８の左側方向に突出する円柱形状の突起である。【０１６７】
図２１（ｂ）に前側板６４２にカバー５５８が取り付けられる部分の拡大図を示す。また図２１（ｃ）は、前側板６４２に取り付けられたカバー５５８の斜視図である。図２１（ｂ）に示すように、前側板６４２には、カバー５５８の回動軸部５５９が嵌合する軸受部材６２１と、回動軸部５６０が嵌合する軸受部材６２２と、が設けられている。図２１（ｃ）に示すように、カバー５５８の回動軸部５５９が前側板６４２の軸受部材６２１に回動可能に嵌合し、回動軸部５６０が前側板６４２の軸受部材６２２に回動可能に嵌合している。図２１（ａ）に示すように、回動軸部５５９の回動軸線と回動軸部５６０の回動軸線は回動軸線５６３上にある。カバー５５８は画像形成装置１本体に対して回動軸線５６３を回動中心として開閉する。閉じられたカバー５５８はドラムユニット５１８、現像ユニット６４１の挿抜経路上に位置する。そのため、カバー５５８が閉状態であると、作業者はドラムユニット５１８、現像ユニット６４１の交換作業を行うことができない。作業者は、カバー５５８を開くことによってドラムユニット５１８を交換することができ、作業終了後にカバー５５８を閉じる。【０１６８】
次に、図２２〜図２５を用いて、カバー５５８の開閉動作に連動してスライド部５２５が感光ドラム１０３の回動軸線方向にスライド移動する構成について詳しく説明する。【０１６９】
図２２（ａ）〜（ｄ）は開状態から閉状態に向けて回動するカバー５５８を示す斜視図である。図２３（ａ）〜（ｄ）は閉状態から開状態に向けて回動するカバー５５８を示す断面図である。図２２（ａ）、および図２３（ａ）はカバー５５８の開状態を示している。図２２（ｄ）、および図２３（ｄ）はカバー５５８の閉状態を示している。図２２（ｂ）および図２３（ｂ）、並びに図２２（ｃ）および図２３（ｃ）は、開状態から閉状態に移行するカバー５５８を示す図である。なお、図２２（ｄ）、および図２３（ｄ）に示す閉状態のカバー５５８は、本体に係合するスナップフィット機構や回動防止のストッパーなどによって閉状態を維持する。【０１７０】
図２２（ａ）〜（ｄ）に示すように、カバー５５８は画像形成装置１本体に対して回動軸線５６３を中心に回動する。それに伴って、図２３（ａ）〜（ｄ）の回動軌跡５６４のように加圧部５６１も回動軸線５６３を中心に回動する。カバー５５８は左側から右側に向けて突出する円筒状の加圧部５６１を備える。図２２に示すように、加圧部５６１はスライド部５２５の一端に取り付けられた収納スペース５６２に位置する。【０１７１】
図２３（ａ）〜（ｄ）を用いて加圧部５６１のスライド部５２５に対する作用について説明する。図２３（ａ）の状態からカバー５５８が時計回りに回動すると、加圧部５６１が回動軌跡５６４上に位置し、回動軌跡５６４に交差する当接面５６６に当接する（図２３（ｂ））。この状態からさらにカバー５５８が時計回りに回動すると、加圧部５６１は当接面５６６に摺擦しながら当接面５６６を前側に押圧する。それにより、スライド補助部材５３９が前側に移動する。スライド補助部材５３９はスライド部５２５に固定されているため、スライド部５２５もスライド補助部材５３９の移動に連動して前側にスライド移動する。【０１７２】
さらに、カバー５５８が時計回りに回動すると、加圧部５６１は当接面５６６上から当接面５６７上に移動する（図２３（ｃ））。当接面５６７は、加圧部５６１の回動軌跡５６４に凡そ沿う形状の曲面をなしている。そのため、図２３（ｃ）の状態からカバー５５８がさらに時計回りに回動した場合、加圧部５６１は当接面５６７に接触して上側に移動するが、加圧部５６１からスライド補助部材５３９をさらに前側にスライド移動させる力は付与されない。【０１７３】
図２２（ｃ）及び図２３（ｃ）より、カバー５５８が開状態から閉状態に向けて回動し、保持体５０５が露光位置となった直後、加圧部５６１は収納スペース５６２の前側の当接面５６７に当接している。当接面５６７は加圧部５６１の回動軌跡５６４に凡そ沿う形状、すなわち、回動軸線５６３を中心とする円弧形状をなしている。そのため、図２３（ｃ）の状態からカバー５５８がさらに時計回りに回動した場合、加圧部５６１は当接面５６７に当接した状態で滑りながら移動する。しかしながら、加圧部５６１からスライド補助部材５３９をさらに前側にスライド移動させる力は付与されない。そのため、加圧部５６１が当接面５６７上を移動する間、スライド補助部材５３９が後側から前側に向けて移動することはない。つまり、本実施例の移動機構６４０は、加圧部５６１が当接面５６６上に当接した状態でカバー５５８が回動すると、スライド部５２５は加圧部５６１の移動に連動してスライド移動するが、加圧部５６１が当接面５６７上に当接した状態においてカバー５５８が回動してもスライド部５２５はスライド移動しないように構成されている。図２３（ｃ）の状態からさらにカバー５５８が時計回りに回動すると、カバー５５８は図２３（ｄ）に示す閉状態となる。【０１７４】
図２４（ａ）〜（ｄ）は閉状態から開状態に向けて回動するカバー５５８を示す斜視図である。図２５（ａ）〜（ｄ）は開状態から閉状態に向けて回動するカバー５５８を示す断面図である。図２４（ａ）、および図２５（ａ）はカバー５５８の閉状態を示している。図２４（ｄ）、および図２５（ｄ）はカバー５５８の開状態を示している。図２４（ｂ）および図２５（ｂ）、並びに図２４（ｃ）および図２５（ｃ）は、閉状態から開状態に移行するカバー５５８を示す図である。【０１７５】
図２５（ａ）に示すカバー５５８が閉状態において、光プリントヘッド１０５の自重および後述するバネの復元力によってスライド部５２５には第１リンク機構８６１および第２リンク機構８６２を介して前側から後側にスライドする力が作用する。しかしながら、閉状態のカバー５５８は回動しないように画像形成装置１本体に対して固定されており、加圧部５６１がスライド補助部材５３９の後側への移動を制限しているため、スライド部５２５が後側にスライド移動しない。【０１７６】
図２５（ａ）からカバー５５８が反時計回りに回動すると、図２５（ｂ）に示すように加圧部５６１が当接面５６８に当接する。図２５（ｂ）の状態からさらにカバー５５８が反時計回りに回動すると、図２５（ｂ）（ｃ）に示すように加圧部５６１が当接面５６８を前側から後側に向かって押圧するため、スライド部５２５が後側に向かって移動する。その後、さらにカバー５５８が反時計回りに回動すると、図２５（ｄ）に示すようにカバー５５８が開状態になる。【０１７７】
加圧部５６１が当接面５６８を押圧する機構は次の理由により設けられている。すなわち、図２４（ａ）の状態からカバー５５８を反時計回りに回動させて加圧部５６１によるスライド補助部材５３９に対する移動の制限が解除されても、各リンク部材同士の摩擦力やリンク部材６５１またはリンク部材６５３とスライド部５２５との摩擦力、リンク部材６５２またはリンク部材６５４と第３支持部５２６との摩擦力が大きいと、スライド部５２５が後側に移動しない場合が考えられる。つまり、カバー５５８を開いてもスライド部５２５がスライド移動しない場合が考えられる。それに対して、カバー５５８を開くことによってスライド部５２５が後側に向かって移動するように、本実施例の移動機構６４０は加圧部５６１が当接面５６８を押圧する機構を含んでいる。【０１７８】
以上の構成により、メンテナンスを行う作業者がカバー５５８を開閉させることで、カバー５５８の移動に連動してスライド部５２５が第３支持部５２６に対してスライド移動する。【０１７９】
次に、保持体５０５とリンク部材６５１との接続機構について説明する。図２６（ａ）、（ｃ）は、前後方向における保持体５０５の一端側を示す斜視図である。図２６（ｂ）、（ｄ）は、前後方向における保持体５０５の他端側を示す斜視図である。【０１８０】
図２６（ａ）に示すように、保持体５０５は、レンズアレイ５０６が取り付けられるレンズ取付部７０１と、コイルばね５４７が取り付けられるバネ取付部６６１と、コイルばね５４８が取り付けられるバネ取付部６６２と、当接ピン５１４が取り付けられるピン取付部６３２と、当接ピン５１５が取り付けられるピン取付部６３３と、を備える。保持体５０５は、レンズ取付部７０１、基板取付部７０２（不図示）、バネ取付部６６１、バネ取付部６６２が一体的に射出成形された樹脂製の成形物である。前後方向において、レンズ取付部７０１の一端側にバネ取付部６６１が配置され、バネ取付部６６１よりもさらに保持体５０５の端部側にピン取付部６３２が配置されている。また、前後方向において、レンズ取付部７０１の他端側にバネ取付部６６２が配置され、バネ取付部６６２よりもさらに保持体５０５の端部側にピン取付部６３２が配置されている。保持体５０５において、レンズ取付部７０１、バネ取付部６６１、ピン取付部６３２が形成されている箇所を図示すると、図２６（ａ）において、Ｃの領域、Ｂの領域、Ａの領域で示す箇所となる。保持体５０５は、レンズアレイ５０６より前側、当接ピン５１４より後側においてコイルばね５４７を介しリンク部材６５１の突起６５５によって下側から上側に向けて付勢力が付与される。また、図２６（ｃ）を用いて、レンズ取付部７０１、バネ取付部６６２、ピン取付部６３３が形成されている箇所を図示するとそれぞれ、Ｃの領域、Ｄの領域、Ｅの領域で示す箇所となる。保持体５０５は、レンズアレイ５０６より後側、当接ピン５１５より前側においてコイルばね５４８を介しリンク部材６５２の突起６５６によって下側から上側に向けて付勢力が付与される。【０１８１】
まず、バネ取付部６６１について説明する。バネ取付部６６１は、第１壁部７５１、第２壁部７５２、第１係合部５４３、第２係合部５４４を含む。第１壁部７５１は左右方向における保持体５０５の一端側に配置され、第２壁部７５２は左右方向における保持体５０５の他端側に設けられている。本実施例において、左右方向において第１壁部７５１および第２壁部７５２は当接ピン５１４の両側に配置されている。図２６（ａ）に示すように、第１壁部７５１と第２壁部７５２はそれぞれ互いに対面する内壁面を含む。第１壁部７５１には開口７５５が形成され、第２壁部７５２には開口７５６が形成されている。開口７５５および開口７５６は上下方向に延びる長孔である。開口７５５および開口７５６には突起６５５が挿入されている。突起６５５は開口７５５および開口７５６に対して嵌合されておらず、前後方向において最も狭いところで０．５ｍｍ程度の間隙を以て挿入されている。そのため、突起６５５は、開口７５５および開口７５６の内壁面から大きな摩擦力を受けることなく、開口７５５および開口７５６によって上下方向にその移動方向を案内される。【０１８２】
図２６（ｂ）は、図２６（ａ）から第１壁部７５１を取り除いた図面である。左右方向において第１壁部７５１と第２壁部７５２との間に第１係合部５４３と第２係合部５４４が配置されている。また、この第１係合部５４３と第２係合部５４４はそれぞれ開口７５５と開口７５６との間に配置されている。本実施例において、第１係合部５４３は第２係合部５４４よりも保持体５０５の端部側に配置されている。第１係合部５４３および第２係合部５４４は、保持体５０５の第１壁部７５１と第２壁部７５２とを連結する連結部分から下方に突出する突起である。第１係合部５４３にはコイルばね５４７の一端が係合され、第２係合部５４４にはコイルばね５４７の他端が係合される。第１係合部５４３と第２係合部５４４とに係合したコイルばね５４７が開口７５５および開口７５６を横断するように、第１係合部５４３および第２係合部５４４はバネ取付部６６１に配置されている。【０１８３】
上下方向において、第１係合部５４３と第２係合部５４４は互いに異なる位置に配置されている。本実施例において、第１係合部５４３が第２係合部５４４よりも感光ドラム１０３側に配置されている。なお、第１係合部５４３と第２係合部５４４は上下方向において同一に設けても良いし、第２係合部５４４が第１係合部５４３よりも感光ドラム１０３側に配置されていても良い。【０１８４】
図２６（ｂ）に示すように、突起６５５は、第２壁部７５２の外壁面側から開口７５６に挿入され、第１係合部５４３と第２係合部５４４に架け渡されたコイルばね５４７の下を通り、第１壁部７５１の開口７５５に挿入されている。【０１８５】
次に、バネ取付部６６２について説明する。図２６（ｃ）に示すように、バネ取付部６６２は、第３壁部７５３、第４壁部７５４、第３係合部５４５、第４係合部５４６を含む。第３壁部７５３は左右方向における保持体５０５の一端側に配置されており、第４壁部７５４は左右方向における保持体５０５の他端側に設けられている。本実施例において、左右方向において第３壁部７５３および第４壁部７５４は当接ピン５１５の両側に配置されている。第１壁部７５１と第３壁部７５３は左右方向において同じ側、すなわち、第１壁部７５１と第３壁部７５３は左右方向において保持体５０５の右側に配置されている。第２壁部７５２と第４壁部７５４は左右方向において同じ側、すなわち、第２壁部７５２と第４壁部７５４は左右方向において保持体５０５の左側に配置されている。【０１８６】
図２６（ｃ）に示すように、第３壁部７５３と第４壁部７５４はそれぞれ互いに対面する内壁面を含む。第３壁部７５３には開口７５７が形成され、第４壁部７５４には開口７５８が形成されている。開口７５７および開口７５８は上下方向に延びる長孔である。開口７５７および開口７５８には突起６５６が挿入されている。突起６５６は開口７５７および開口７５８に対して嵌合されておらず、前後方向において最も狭いところで０．５ｍｍ程度の間隙を以て挿入されている。そのため、突起６５６は、開口７５７および開口７５８の内壁面から大きな摩擦力を受けることなく、開口７５７および開口７５８によって上下方向にその移動方向を案内される。【０１８７】
図２６（ｄ）は、図２６（ｃ）から第３壁部７５３を取り除いた図面である。左右方向において第３壁部７５３と第４壁部７５４との間に第３係合部５４５と第４係合部５４６が配置されている。また、この第３係合部５４５と第４係合部５４６はそれぞれ開口７５７および開口７５８との間に配置されている。本実施例において、第４係合部５４６は第３係合部５４５よりも保持体５０５の端部側に配置されている。第３係合部５４５および第４係合部５４６は、保持体５０５の第３壁部７５３と第４壁部７５４とを連結する連結部分から下方に突出する突起である。第３係合部５４５にはコイルばね５４８の一端が係合され、第４係合部５４６にはコイルばね５４８の他端が係合される。第３係合部５４５と第４係合部５４６とに係合したコイルばね５４８が開口７５７および開口７５８を横断するように、第３係合部５４５および第４係合部５４６はバネ取付部６６２に配置されている。【０１８８】
上下方向において、第３係合部５４５と第４係合部５４６は互いに異なる位置に配置されている。本実施例において、第３係合部５４５が第４係合部５４６よりも感光ドラム１０３側に配置されている。なお、第３係合部５４５と第４係合部５４６は上下方向において同一に設けても良いし、第４係合部５４６が第３係合部５４５よりも感光ドラム１０３側に配置されていても良い。【０１８９】
図２６（ｄ）に示すように、突起６５６は、第４壁部７５４の外壁面側から開口７５８に挿入され、第３係合部５４５と第４係合部５４６に架け渡されたコイルばね５４８の下を通り、第３壁部７５３の開口７５７に挿入されている。【０１９０】
なお、本実施例では、コイルばね５４７およびコイルばね５４８の一例としてコイル状のバネを示すが、板バネを用いても構わない。【０１９１】
次に、リンク部材６５１に設けられた突起６５５のコイルばね５４７に対する作用、およびリンク部材６５２に設けられた突起６５６のコイルばね５４８に対する作用を図２７を用いて説明する。突起６５５のコイルばね５４７に対する作用と突起６５６のコイルばね５４８に対する作用は実質的に同様であるので、図２７では突起６５６のコイルばね５４８に対する作用を例示する。【０１９２】
図２７（ａ）は保持体５０５に設けられた当接ピン５１５がドラムユニット５１８の当接面５５１から退避した状態を示す図である。図２７（ｂ）は当接ピン５１５がドラムユニット５１８の当接面５５１に当接した時点を示す図である。図２７（ｃ）は、図２７（ｂ）の状態からリンク部材６５２が反時計回りに回動した状態を示す図である。【０１９３】
図２７（ａ）の状態において、スライド部５２５がスライド移動すると、それに連動してリンク部材６５２が反時計回りに回動し、突起６５６が上側に移動する。このとき、突起６５６がコイルばね５４８を上側に向かって押圧する。突起６５６がコイルばね５４８を上側に向かって押圧すると、第３係合部５４５および第４係合部５４６を介して保持体５０５に対して上側に力が作用する。当接ピン５１５はドラムユニット５１８に非接触であり、光プリントヘッド１０５に作用する重力を除いて突起６５６がコイルばね５４８を押圧する力に抗する力が存在しない。そのため、第３係合部５４５および第４係合部５４６に上側に向かって作用する力が光プリントヘッド１０５に作用する重力よりも大きくなると、保持体５０５が第３係合部５４５および第４係合部５４６に作用する力によって上側に移動する。ここで、保持体５０５が退避位置である時、当接ピン５１５（５１４）の下端や保持体５０５を装置本体で支え、リンク部材６５２（６５１）の突起６５６（６５５）がコイルばね５４８（５４７）と非接触となるようにしても構わない。【０１９４】
保持体５０５が上側に移動すると、図２７（ｂ）に示すように当接ピン５１５がドラムユニット５１８の当接面５５１に当接する。図２７（ｂ）は光プリントヘッド１０５が露光位置に配置されているが、光プリントヘッド１０５に作用するドラムユニット５１８に付勢する付勢力が不十分である。そのため、光プリントヘッド１０５に上記付勢力を付与するために、本実施例の移動機構６４０は、図２７（ｂ）の状態からさらにリンク部材６５２が回動可能な構成となっている。【０１９５】
図２７（ｂ）の状態からさらにリンク部材６５２が反時計回りに回動しても、当接ピン５１５がドラムユニット５１８の当接面５５１に当接しているため、保持体５０５の位置は変化しない。一方、突起６５６は上側方向に移動する。そのため、コイルばね５４８は第３係合部５４５と第４係合部５４６との間を突起６５６によって押圧されて図２７（ｃ）に示すように屈曲して伸長する。【０１９６】
図２７（ｃ）の状態は、図２３（ｃ）および（ｄ）のカバー５５８の状態に対応する。すなわち、スライド部５２５はそれ以上前側にスライド移動しない状態となる。そのため、スライド部５２５がスライド移動しないため、リンク部材６５２は図２７（ｃ）に示す状態から反時計回りに回動することはなく、突起６５６も上側に移動することなく図２７（ｃ）の位置に静止する。この状態においてコイルばね５４８は収縮する力が第３係合部５４５および第４係合部５４６に作用する。第３係合部５４５および第４係合部５４６に作用するコイルばね５４８の収縮力の分力が上方向に向くため、保持体５０５にはドラムユニット５１８側に付勢する付勢力が作用し、保持体５０５は当接ピン５１５を介してドラムユニット５１８に付勢する。【０１９７】
上記したように、第３係合部５４５が第４係合部５４６よりも感光ドラム１０３側に配置されているため、コイルばね５４８には突起６５６から矢印Ｎ方向の抗力が作用する。矢印Ｎ方向の抗力の分力が保持体５０５に作用する。そのため、当接ピン５１５には前後方向の後側に向かう力が作用し、当接面５５１に当接した当接ピン５１５は嵌合部６８５の奥側の後側壁面５９６に付勢して当接する。第１係合部５４３は第２係合部５４４よりも感光ドラム１０３側に配置されている理由も同様である。【０１９８】
以上、説明したように、上記本実施例に係る光プリントヘッド１０５が備える保持体５０５には、レンズ取付部７０１が形成されており、レンズ取付部７０１は、レンズアレイ５０６の側壁面に対向する対向面（第１内壁面５０７および第２内壁面５０８）と、当該対向面よりも感光ドラム１０３側に設けられ、感光ドラム１０３側に向かうにしたがってレンズアレイ５０６の側壁面から遠ざかるように傾斜した傾斜面（第１傾斜面７０３および第２傾斜面７０４）と、を備え、傾斜面とレンズアレイ５０６の側壁面とによって形成された溝に充填剤が充填される。
【産業上の利用可能性】
【０１９９】
本発明によれば、レンズアレイを有するおける光プリントヘッド及び画像形成装置であって，レンズアレイを把持機構で把持した状態で、保持体に対するレンズアレイの取り付け位置を調整することができるものを提供することができる。
【符号の説明】
【０２００】
５０２  基板
５０５  保持体
５０６  レンズアレイ
５０７  第１内壁面（第１対向部）
５０８  第２内壁面（第２対向部）
７０１  レンズ取付部
７０２  基板取付部
７０３  第１傾斜面
７０４  第２傾斜面
９０６  貫通孔
９０７  接着剤
【図１】
2018230745.tif 000003
【図２】
2018230745.tif 000004
【図３】
2018230745.tif 000005
【図４】
2018230745.tif 000006
【図５】
2018230745.tif 000007
【図６】
2018230745.tif 000008
【図７】
2018230745.tif 000009
【図８】
2018230745.tif 000010
【図９】
2018230745.tif 000011
【図１０】
2018230745.tif 000012
【図１１】
2018230745.tif 000013
【図１２】
2018230745.tif 000014
【図１３】
2018230745.tif 000015
【図１４】
2018230745.tif 000016
【図１５】
2018230745.tif 000017
【図１６】
2018230745.tif 000018
【図１７】
2018230745.tif 000019
【図１８】
2018230745.tif 000020
【図１９】
2018230745.tif 000021
【図２０】
2018230745.tif 000022
【図２１】
2018230745.tif 000023
【図２２】
2018230745.tif 000024
【図２３】
2018230745.tif 000025
【図２４】
2018230745.tif 000026
【図２５】
2018230745.tif 000027
【図２６】
2018230745.tif 000028
【図２７】
2018230745.tif 000029
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光を前記感光ドラムの表面に集光させる複数のレンズが前記長手方向に並べられたレンズアレイと、
前記発光部と前記レンズアレイとを保持する保持体と、
前記レンズの光軸方向における前記光の出射方向に向けて前記保持体から突出して形成され、前記長手方向と前記光軸方向との双方に垂直な垂直方向における前記レンズアレイの一方側の側壁面である第１側壁面に対向し当該第１側壁面が接着固定される第１対向部と、
前記出射方向に向けて前記保持体から突出して形成され、前記垂直方向における前記レンズアレイの他方側の側壁面である第２側壁面に対向し当該第２側壁面が接着固定される第２対向部と、を備え、
前記長手方向における前記レンズアレイの一端側と他端側のうち少なくとも前記一端側の前記第１側壁面は前記長手方向における前記第１対向部の端部から露出し、かつ、前記長手方向における前記レンズアレイの一端側と他端側のうち少なくとも前記他端側の前記第２側壁面は前記長手方向における前記第２対向部の端部から露出している光プリントヘッド。
【請求項２】
前記レンズアレイの一部は前記第１対向部と前記第２対向部とよりも前記出射方向に突出している請求項１に記載の光プリントヘッド。
【請求項３】
前記長手方向における前記第１側壁面の一端側と前記長手方向における前記第１側壁面の他端側とは、前記長手方向における前記第１対向部の端部から露出し、かつ、前記長手方向における前記第２側壁面の一端側と前記長手方向における前記第２側壁面の他端側とは、前記長手方向における前記第２対向部の端部から露出している請求項２に記載の光プリントヘッド。
【請求項４】
前記長手方向における前記第１対向部の一端から前記長手方向における前記第１対向部の他端までの長さと、前記長手方向における前記第２対向部の一端から前記長手方向における前記第２対向部の他端までの長さと、の双方よりも前記長手方向における前記レンズアレイの一端から前記長手方向における前記レンズアレイの他端までの長さの方が長い請求項３に記載の光プリントヘッド。
【請求項５】
前記レンズアレイを保持する保持機構に前記レンズアレイを前記垂直方向に保持させて、前記レンズアレイの前記保持体に対する位置を調整するために、前記長手方向における前記第１側壁面の両端側は前記長手方向における前記第１対向部の両端から露出し、かつ、前記長手方向における前記第２側壁面の両端側は前記長手方向における前記第２対向部の両端から露出している請求項４に記載の光プリントヘッド。
【請求項６】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光を前記感光ドラムの表面に集光させる複数のレンズが前記長手方向に並べられたレンズアレイと、
前記発光部と前記レンズアレイとを保持する保持体と、
前記レンズの光軸方向における前記光の出射方向に向けて前記保持体から突出して形成され、前記長手方向と前記光軸方向との双方に垂直な垂直方向における前記レンズアレイの一方側の側壁面が接着固定される第１対向部と、
前記出射方向に向けて前記保持体から突出して形成され、前記垂直方向における前記レンズアレイの他方側の側壁面が接着固定される第２対向部と、を備え、
前記垂直方向における前記レンズアレイの側壁面は、前記長手方向における前記第１対向部の両端と前記長手方向における前記第２対向部の両端とのうちいずれかから露出している光プリントヘッド。
【請求項７】
前記レンズアレイの一部は前記第１対向部と前記第２対向部とよりも前記出射方向に突出している請求項６に記載の光プリントヘッド。
【請求項８】
前記長手方向における前記レンズアレイの一端から前記長手方向における前記レンズアレイの他端までの長さは、前記長手方向における前記第１対向部の一端から前記長手方向における前記第１対向部の他端までの長さと、前記長手方向における前記第２対向部の一端から前記長手方向における前記第２対向部の他端までの長さと、のいずれかよりも長い請求項７に記載の光プリントヘッド。
【請求項９】
前記レンズアレイを保持する保持機構に前記レンズアレイを前記垂直方向に保持させて、前記レンズアレイの前記保持体に対する位置を調整するために、前記垂直方向における前記レンズアレイの側壁面は前記長手方向における前記第１対向部の両端と前記長手方向における前記第２対向部の両端とのうちいずれかから露出している請求項８に記載の光プリントヘッド。
【請求項１０】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光を前記感光ドラムの表面に集光させる複数のレンズが前記長手方向に並べられたレンズアレイと、
前記発光部と前記レンズアレイとを保持する保持体と、を有し、
前記保持体は、
前記長手方向と前記レンズの光軸方向との双方に垂直な垂直方向における前記レンズアレイの一方側の側壁面に対向し、当該側壁面が接着固定される第１対向部と、
前記垂直方向における前記レンズアレイの他方側の側壁面に対向し、当該側壁面が接着固定される第２対向部と、
前記第１対向部に前記垂直方向に沿って形成され、前記レンズアレイの一方側の側壁面の一部が露出する第１凹部と、
前記第２対向部に前記垂直方向に沿って且つ前記垂直方向において前記第１凹部と重なるように形成され、前記レンズアレイの他方側の側壁面の一部が露出する第２凹部と、を備える光プリントヘッド。
【請求項１１】
前記レンズアレイの一部は前記第１対向部と前記第２対向部とよりも前記出射方向に突出している請求項１０に記載の光プリントヘッド。
【請求項１２】
（削除）
【請求項１３】
前記第１凹部は前記長手方向における前記第１対向部の両端側にそれぞれ形成されており、前記第２凹部は前記長手方向における前記第２対向部の両端側にそれぞれ形成されている請求項１０に記載の光プリントヘッド。
【請求項１４】
前記レンズアレイを保持する保持機構に前記レンズアレイを前記垂直方向に保持させて、前記レンズアレイの前記保持体に対する位置を調整するために、前記第１凹部と前記第２凹部とから前記レンズアレイの側壁面の一部がそれぞれ露出している請求項１３に記載の光プリントヘッド。
【請求項１５】
感光ドラムと、光プリントヘッドと、を有する画像形成装置であって、
前記光プリントヘッドは、
前記感光ドラムを露光するための光を出射する複数の発光素子が前記光プリントヘッドの長手方向に並べられた発光部と、
前記複数の発光素子から出射された光を前記感光ドラムの表面に集光させる複数のレンズが前記長手方向に並べられたレンズアレイと、
前記発光部と前記レンズアレイとを保持する保持体と、
前記レンズの光軸方向における前記光の出射方向に向けて前記保持体から突出して形成され、前記長手方向と前記光軸方向との双方に垂直な垂直方向における前記レンズアレイの一方側の側壁面である第１側壁面に対向し当該第１側壁面が接着固定される第１対向部と、
前記出射方向に向けて前記保持体から突出して形成され、前記垂直方向における前記レンズアレイの他方側の側壁面である第２側壁面に対向し当該第２側壁面が接着固定される第２対向部と、を備え、
前記長手方向における前記レンズアレイの一端側と他端側のうち少なくとも前記一端側の前記第１側壁面は前記長手方向における前記第１対向部の端部から露出し、かつ、前記長手方向における前記レンズアレイの一端側と他端側のうち少なくとも前記他端側の前記第２側壁面は前記長手方向における前記第２対向部の端部から露出している画像形成装置。
【請求項１６】
前記レンズアレイの一部は前記第１対向部と前記第２対向部とよりも前記出射方向に突出している請求項１５に記載の画像形成装置。
【請求項１７】
前記長手方向における前記第１側壁面の一端側と前記長手方向における前記第１側壁面の他端側とは、前記長手方向における前記第１対向部の端部から露出し、かつ、前記長手方向における前記第２側壁面の一端側と前記長手方向における前記第２側壁面の他端側とは、前記長手方向における前記第２対向部の端部から露出している請求項１６に記載の画像形成装置。
【請求項１８】
前記長手方向における前記第１対向部の一端から前記長手方向における前記第１対向部の他端までの長さと、前記長手方向における前記第２対向部の一端から前記長手方向における前記第２対向部の他端までの長さと、の双方よりも前記長手方向における前記レンズアレイの一端から前記長手方向における前記レンズアレイの他端までの長さの方が長い請求項１７に記載の画像形成装置。
【請求項１９】
前記レンズアレイを保持する保持機構に前記レンズアレイを前記垂直方向に保持させて、前記レンズアレイの前記保持体に対する位置を調整するために、前記長手方向における前記第１側壁面の両端側は前記長手方向における前記第１対向部の両端から露出し、かつ、前記長手方向における前記第２側壁面の両端側は前記長手方向における前記第２対向部の両端から露出している請求項１８に記載の画像形成装置。
【請求項２０】
感光ドラムと、光プリントヘッドと、を有する画像形成装置であって、
前記感光ドラムを露光するための光を出射する複数の発光素子が前記光プリントヘッドの長手方向に並べられた発光部と、
前記複数の発光素子から出射された光を前記感光ドラムの表面に集光させる複数のレンズが前記長手方向に並べられたレンズアレイと、
前記発光部と前記レンズアレイとを保持する保持体と、
前記レンズの光軸方向における前記光の出射方向に向けて前記保持体から突出して形成され、前記長手方向と前記光軸方向との双方に垂直な垂直方向における前記レンズアレイの一方側の側壁面が接着固定される第１対向部と、
前記出射方向に向けて前記保持体から突出して形成され、前記垂直方向における前記レンズアレイの他方側の側壁面が接着固定される第２対向部と、を備え、
前記垂直方向における前記レンズアレイの側壁面は、前記長手方向における前記第１対向部の両端と前記長手方向における前記第２対向部の両端とのうちいずれかから露出している画像形成装置。
【請求項２１】
前記レンズアレイの一部は前記第１対向部と前記第２対向部とよりも前記出射方向に突出している請求項２０に記載の画像形成装置。
【請求項２２】
前記長手方向における前記レンズアレイの一端から前記長手方向における前記レンズアレイの他端までの長さは、前記長手方向における前記第１対向部の一端から前記長手方向における前記第１対向部の他端までの長さと、前記長手方向における前記第２対向部の一端から前記長手方向における前記第２対向部の他端までの長さと、のいずれかよりも長い請求項２１に記載の画像形成装置。
【請求項２３】
前記レンズアレイを保持する保持機構に前記レンズアレイを前記垂直方向に保持させて、前記レンズアレイの前記保持体に対する位置を調整するために、前記垂直方向における前記レンズアレイの側壁面は前記長手方向における前記第１対向部の両端と前記長手方向における前記第２対向部の両端とのうちいずれかから露出している請求項２２に記載の画像形成装置。
【請求項２４】
感光ドラムと、光プリントヘッドと、を有する画像形成装置であって、
前記光プリントヘッドは、
前記感光ドラムを露光するための光を出射する複数の発光素子が前記光プリントヘッドの長手方向に並べられた発光部と、
前記複数の発光素子から出射された光を前記感光ドラムの表面に集光させる複数のレンズが前記長手方向に並べられたレンズアレイと、
前記発光部と前記レンズアレイとを保持する保持体と、を有し、
前記保持体は、
前記長手方向と前記レンズの光軸方向との双方に垂直な垂直方向における前記レンズアレイの一方側の側壁面に対向し、当該側壁面が接着固定される第１対向部と、
前記垂直方向における前記レンズアレイの他方側の側壁面に対向し、当該側壁面が接着固定される第２対向部と、
前記第１対向部に前記垂直方向に沿って形成され、前記レンズアレイの一方側の側壁面の一部が露出する第１凹部と、
前記第２対向部に前記垂直方向に沿って且つ前記垂直方向において前記第１凹部と重なるように形成され、前記レンズアレイの他方側の側壁面の一部が露出する第２凹部と、を備える画像形成装置。
【請求項２５】
前記レンズアレイの一部は前記第１対向部と前記第２対向部とよりも前記出射方向に突出している請求項２４に記載の画像形成装置。
【請求項２６】
（削除）
【請求項２７】
前記第１凹部は前記長手方向における前記第１対向部の両端側にそれぞれ形成されており、前記第２凹部は前記長手方向における前記第２対向部の両端側にそれぞれ形成されている請求項２４に記載の画像形成装置。
【請求項２８】
前記レンズアレイを保持する保持機構に前記レンズアレイを前記垂直方向に保持させて、前記レンズアレイの前記保持体に対する位置を調整するために、前記第１凹部と前記第２凹部とから前記レンズアレイの側壁面の一部がそれぞれ露出している請求項２７に記載の画像形成装置。
【請求項２９】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光が入射する入射面と前記入射面から入射した出射する出射面とを有するレンズであって、前記光を前記感光ドラムの表面に集光させる複数の前記レンズが前記長手方向に並べられたレンズアレイと、
前記発光部と前記レンズアレイとを保持する保持体と、
前記レンズの光軸方向における前記光の出射方向に向けて前記保持体から突出して形成され、前記長手方向と前記光軸方向との双方に垂直な垂直方向における前記レンズアレイの一方側の側壁面である第１側壁面に対向し当該第１側壁面が接着固定される第１対向部と、
前記出射方向に向けて前記保持体から突出して形成され、前記垂直方向における前記レンズアレイの他方側の側壁面である第２側壁面に対向し当該第２側壁面が接着固定される第２対向部と、を備え、
前記長手方向における前記第１側壁面の両端側は前記長手方向における前記第１対向部の端部からそれぞれ露出し、かつ、前記長手方向における前記第２側壁面の両端側は前記長手方向における前記第２対向部の端部からそれぞれ露出している光プリントヘッドの製造方法において、
前記長手方向における前記レンズアレイの両端側の側壁面が、前記保持機構によって前記垂直方向に保持される保持工程と、
前記保持機構によって保持された前記レンズアレイが、前記入射面と前記発光部とが対向するように前記第１対向部と前記第２対向部との間に挿入され、前記保持機構によって保持される部分が、前記長手方向における前記第１対向部の端部と前記長手方向における前記第２対向部の端部とから露出した状態となるように前記保持体に対して配置される配置工程と、
前記発光素子を発光させ、前記入射面に入射し前記出射面から出射する光を受光装置にて受光する受光工程と、
前記受光工程における受光結果に基づいて前記保持機構によって保持された状態の前記レンズアレイを前記光軸方向に移動させ、前記入射面と前記発光部との間隔を調整する調整工程と、
前記入射面と前記発光部との間隔が調整された前記レンズアレイを前記第１対向部と前記第２対向部とに接着固定する接着工程と、を備える光プリントヘッドの製造方法。
【請求項３０】
前記保持工程において、前記垂直方向における前記レンズアレイの両側壁面は、前記垂直方向に押圧されながら挟持される請求項２９に記載の光プリントヘッドの製造方法。
【請求項３１】
前記保持機構において、前記垂直方向における前記レンズアレイの両側壁面は、前記垂直方向に吸着されながら保持される請求項２９に記載の光プリントヘッドの製造方法。
【請求項３２】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光が入射する入射面と前記入射面から入射した出射する出射面とを有するレンズであって、前記光を前記感光ドラムの表面に集光させる複数の前記レンズが前記長手方向に並べられたレンズアレイと、
前記発光部と前記レンズアレイとを保持する保持体と、
前記レンズの光軸方向における前記光の出射方向に向けて前記保持体から突出して形成され、前記長手方向と前記光軸方向との双方に垂直な垂直方向における前記レンズアレイの一方側の側壁面である第１側壁面に対向し当該第１側壁面が接着固定される第１対向部と、
前記出射方向に向けて前記保持体から突出して形成され、前記垂直方向における前記レンズアレイの他方側の側壁面である第２側壁面に対向し当該第２側壁面が接着固定される第２対向部と、を備え、
前記長手方向における前記レンズアレイの一端側と他端側のうち少なくとも前記一端側の前記第１側壁面は前記長手方向における前記第１対向部の端部から露出し、かつ、前記長手方向における前記レンズアレイの一端側と他端側のうち少なくとも前記他端側の前記第２側壁面は前記長手方向における前記第２対向部の端部から露出している光プリントヘッドの製造方法において、
前記垂直方向における前記レンズアレイの側壁面が、前記保持機構によって保持される保持工程と、
前記保持機構によって保持された前記レンズアレイが、前記入射面と前記発光部とが対向するように前記第１対向部と前記第２対向部との間に挿入され、前記保持機構によって保持されている部分が、前記長手方向における前記第１対向部の端部と前記長手方向における前記第２対向部の端部とから露出した状態となるように前記保持体に対して配置される配置工程と、
前記発光素子を発光させ、前記入射面に入射し前記出射面から出射する光を受光装置にて受光する受光工程と、
前記受光工程における受光結果に基づいて前記保持機構によって保持された状態の前記レンズアレイを前記光軸方向に移動させ、前記入射面と前記発光部との間隔を調整する調整工程と、
前記入射面と前記発光部との間隔が調整された前記レンズアレイを前記第１対向部と前記第２対向部とに接着固定する接着工程と、を備える光プリントヘッドの製造方法。
【請求項３３】
前記保持機構において、前記垂直方向における前記レンズアレイの側壁面は前記垂直方向に吸着されながら保持される請求項３２に記載の光プリントヘッドの製造方法。
【請求項３４】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光が入射する入射面と前記入射面から入射した出射する出射面とを有するレンズであって、前記光を前記感光ドラムの表面に集光させる複数の前記レンズが前記長手方向に並べられたレンズアレイと、
前記発光部と前記レンズアレイとを保持する保持体と、
前記レンズの光軸方向における前記光の出射方向に向けて前記保持体から突出して形成され、前記長手方向と前記光軸方向との双方に垂直な垂直方向における前記レンズアレイの一方側の側壁面が接着固定される第１対向部と、
前記出射方向に向けて前記保持体から突出して形成され、前記垂直方向における前記レンズアレイの他方側の側壁面が接着固定される第２対向部と、を備え、
前記垂直方向における前記レンズアレイの側壁面は、前記長手方向における前記第１対向部の両端と前記長手方向における前記第２対向部の両端とのうちいずれかから露出している光プリントヘッドの製造方法において、
前記垂直方向における前記レンズアレイの側壁面が、前記保持機構によって保持される保持工程と、
前記保持機構によって保持された前記レンズアレイが、前記入射面と前記発光部とが対向するように前記第１対向部と前記第２対向部との間に挿入され、前記保持機構によって保持されている部分が、前記長手方向における前記第１対向部の両端と前記長手方向における前記第２対向部の両端とのうちいずれかから露出した状態となるように前記保持体に対して配置される配置工程と、
前記発光素子を発光させ、前記入射面に入射し前記出射面から出射する光を受光装置にて受光する受光工程と、
前記受光工程における受光結果に基づいて前記保持機構によって保持された状態の前記レンズアレイを前記光軸方向に移動させ、前記入射面と前記発光部との間隔を調整する調整工程と、
前記入射面と前記発光部との間隔が調整された前記レンズアレイを前記第１対向部と前記第２対向部とに接着固定する接着工程と、を備える光プリントヘッドの製造方法。
【請求項３５】
前記保持機構において、前記垂直方向における前記レンズアレイの側壁面は前記垂直方向に吸着されながら保持される請求項３４に記載の光プリントヘッドの製造方法。
【請求項３６】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光が入射する入射面と前記入射面から入射した出射する出射面とを有するレンズであって、前記光を前記感光ドラムの表面に集光させる複数の前記レンズが前記長手方向に並べられたレンズアレイと、
前記発光部と前記レンズアレイとを保持する保持体と、を有し、
前記保持体は、
前記垂直方向に沿った複数の凹部が形成されていて、前記長手方向と前記レンズの光軸方向との双方に垂直な垂直方向における前記レンズアレイの一方側の側壁面に対向し、当該側壁面が接着固定される第１対向部と、
前記垂直方向に沿った複数の凹部が形成されていて、前記垂直方向における前記レンズアレイの他方側の側壁面に対向し、当該側壁面が接着固定される第２対向部と、を備え、
前記第１対向部に形成された凹部と前記第２対向部に形成された凹部とから前記垂直方向における前記レンズアレイの側壁面の一部が露出している光プリントヘッドの製造方法において、
前記垂直方向における前記レンズアレイの側壁面が、前記保持機構によって保持される保持工程と、
前記保持機構によって保持された前記レンズアレイが、前記入射面と前記発光部とが対向するように前記第１対向部と前記第２対向部との間に挿入され、前記保持機構によって保持されている部分が、前記第１対向部に形成された凹部と前記第２対向部に形成された凹部とから露出した状態となるように前記保持体に対して配置される配置工程と、
前記発光素子を発光させ、前記入射面に入射し前記出射面から出射する光を受光装置にて受光する受光工程と、
前記受光工程における受光結果に基づいて前記保持機構によって保持された状態の前記レンズアレイを前記光軸方向に移動させ、前記入射面と前記発光部との間隔を調整する調整工程と、
前記入射面と前記発光部との間隔が調整された前記レンズアレイを前記保持体に接着固定する接着工程と、を備える光プリントヘッドの製造方法。
【請求項３７】
前記保持工程において、前記垂直方向における前記レンズアレイの両側壁面は、前記垂直方向に押圧されながら挟持される請求項３６に記載の光プリントヘッドの製造方法。
【請求項３８】
前記保持工程において、前記レンズアレイの前記両側壁面は、前記垂直方向に吸着されながら保持される請求項３６に記載の光プリントヘッドの製造方法。
【請求項３９】
画像形成装置が有する光プリントヘッドであって、
前記画像形成装置が有する感光ドラムを露光するための光を出射する複数の発光素子が前記光プリントヘッドの長手方向に並べられた発光部と、
前記複数の発光素子から出射された光が入射する入射面と前記入射面から入射した出射する出射面とを有するレンズであって、前記光を前記感光ドラムの表面に集光させる複数の前記レンズが前記長手方向に並べられたレンズアレイと、
前記発光部と前記レンズアレイとを保持する保持体と、を有し、
前記保持体は、
前記長手方向と前記レンズの光軸方向との双方に垂直な垂直方向における前記レンズアレイの一方側の側壁面に対向し、当該側壁面が接着固定される第１対向部と、
前記垂直方向における前記レンズアレイの他方側の側壁面に対向し、当該側壁面が接着固定される第２対向部と、
前記第１対向部に前記垂直方向に沿って形成され、前記レンズアレイの一方側の側壁面の一部が露出する第１凹部と、
前記第２対向部に前記垂直方向に沿って且つ前記垂直方向において前記第１凹部と重なるように形成され、前記レンズアレイの他方側の側壁面の一部が露出する第２凹部と、を備える光プリントヘッドの製造方法において、
前記垂直方向における前記レンズアレイの側壁面が、前記保持機構によって保持される保持工程と、
前記保持機構によって保持された前記レンズアレイが、前記入射面と前記発光部とが対向するように前記第１対向部と前記第２対向部との間に挿入され、前記保持機構によって保持されている部分が前記凹部から露出した状態となるように前記保持体に対して配置される配置工程と、
前記発光素子を発光させ、前記入射面に入射し前記出射面から出射する光を受光装置にて受光する受光工程と、
前記受光工程における受光結果に基づいて前記保持機構によって保持された状態の前記レンズアレイを前記光軸方向に移動させ、前記入射面と前記発光部との間隔を調整する調整工程と、
前記入射面と前記発光部との間隔が調整された前記レンズアレイを前記保持体に接着固定する接着工程と、を備える光プリントヘッドの製造方法。
【請求項４０】
前記保持機構において、前記垂直方向における前記レンズアレイの両側壁面は、前記垂直方向に挟持される請求項３９に記載の光プリントヘッドの製造方法。
【国際調査報告】
2018230745.tif 000030
2018230745.tif 000031
2018230745.tif 000032
2018230745.tif 000033